(57)【要約】提供されるものは、チャネル構成および電力制御方法ならびにデバイスと、ユーザ機器と、基地局と、記憶媒体とである。チャネル構成方法は、第２の通信ノードによって構成される制御チャネルリソースセットの第２のチャネル特性仮定を受信するように構成され、前記制御チャネルリソースセットは、第１のタイプの検索空間および第２のタイプの検索空間のうちの少なくとも１つによって形成され、第２のチャネル特性仮定は、第２のタイプの検索空間における制御チャネルリソースの構成のために使用され、第２の通信ノードによって伝送される前記制御チャネルリソースは、第２のチャネル特性仮定に従って受信される。
2021522753.tif 000002
【特許請求の範囲】
【請求項１】
チャネル構成方法であって、
第２の通信ノードによって構成される制御チャネルリソースセットの第２のチャネル特性仮定を受信することであって、前記制御チャネルリソースセットは、第１のタイプの検索空間または第２のタイプの検索空間のうちの少なくとも１つによって形成され、前記第２のチャネル特性仮定は、前記第２のタイプの検索空間における制御チャネルリソースの構成のために使用される、ことと、
前記第２のチャネル特性仮定に従って前記第２の通信ノードによって送信される制御チャネルリソースを受信することと
を含む、方法。
【請求項２】
前記第１のタイプの検索空間は、共通検索空間またはビーム回収検索空間のうちの少なくとも１つを含む、請求項１に記載のチャネル構成方法。
【請求項３】
前記第２のタイプの検索空間は、ユーザ特有の検索空間を含む、請求項１に記載のチャネル構成方法。
【請求項４】
前記第２のチャネル特性仮定は、擬似コロケーション、空間擬似コロケーション、または伝送構成インジケーション状態のうちの少なくとも１つを含む、請求項１に記載のチャネル構成方法。
【請求項５】
前記第１のタイプの検索空間および前記第２のタイプの検索空間が、第１のトリガ条件を満たす場合、前記チャネル構成方法はさらに、
前記第１のタイプの検索空間を受信または監視すること、
前記第１のタイプの検索空間の第１のチャネル特性仮定によって、前記第２のチャネル特性仮定を決定すること、
前記第２のチャネル特性仮定が、前記第１のタイプの検索空間の第１のチャネル特性仮定と同一であること、
前記第２のチャネル特性仮定が、前記第１のタイプの検索空間におけるプリセット検索空間インデックスを伴う検索空間の第１のチャネル特性仮定と同一であること、
第１のチャネル特性仮定および前記第２のチャネル特性仮定が、前記第１のタイプの検索空間におけるプリセット検索空間インデックスを伴う検索空間の第１のチャネル特性仮定と同一であること、または
前記第２のチャネル特性仮定が、第１のチャネル特性仮定と同一である場合、前記第２のタイプの検索空間を受信または監視すること
のうちの少なくとも１つを含む、請求項１−４のいずれか１項に記載のチャネル構成方法。
【請求項６】
前記プリセット検索空間インデックスは、
最低インデックスシーケンス番号、最高インデックスシーケンス番号、または規定された検索空間インデックスシーケンス番号
のうちの少なくとも１つを含む、請求項５に記載のチャネル構成方法。
【請求項７】
前記第１のタイプの検索空間および前記第２のタイプの検索空間が、前記第１のトリガ条件を満たす場合、前記第１のトリガ条件は、
前記第１のタイプの検索空間および前記第２のタイプの検索空間が、同一直交周波数分割多重化（ＯＦＤＭ）シンボル内にあること、前記第１のタイプの検索空間および前記第２のタイプの検索空間が、同一タイムスロット内にあること、前記第１のタイプの検索空間および前記第２のタイプの検索空間が、同一リソースブロック内にあること、前記第１のタイプの検索空間および前記第２のタイプの検索空間と関連付けられる監視窓が、相互に重複すること、または前記第１のタイプの検索空間および前記第２のタイプの検索空間が、同時に有効であること
のうちの少なくとも１つを含む、請求項５に記載のチャネル構成方法。
【請求項８】
前記第１のタイプの検索空間および前記第２のタイプの検索空間が、同一制御チャネルリソースセットからのものである、請求項５に記載のチャネル構成方法。
【請求項９】
前記第１のタイプの検索空間および前記第２のタイプの検索空間が、第１のトリガ条件を満たす場合、または前記第１のタイプの検索空間および前記第２のタイプの検索空間と関連付けられる窓が、重複または部分的に重複する場合、前記チャネル構成方法はさらに、
最低インデックスシーケンス番号、最高インデックスシーケンス番号、またはプリセットインデックス下の特定のインデックスシーケンス番号のうちの１つの第１のタイプの検索空間を受信または監視すること、
最低インデックスシーケンス番号、最高インデックスシーケンス番号、またはプリセットインデックス下の特定のインデックスシーケンス番号のうちの１つの第１のタイプのチャネル特性仮定によって、前記第２のチャネル特性仮定を決定すること、
前記第２のチャネル特性仮定が、最低インデックスシーケンス番号、最高インデックスシーケンス番号、またはプリセットインデックス下の特定のインデックスシーケンス番号のうちの１つの第１のチャネル特性仮定と同一であること、または
前記第２のチャネル特性仮定が、最低検索空間インデックスを有し、最低インデックスシーケンス番号、最高インデックスシーケンス番号、またはプリセットインデックス下の特定のインデックスシーケンス番号のうちの１つの第１のタイプの検索空間内にある、検索空間のチャネル特性仮定と同一であること
のうちの少なくとも１つを含む、請求項１−４のいずれか１項に記載のチャネル構成方法。
【請求項１０】
前記プリセットインデックスは、キャリアインデックス、帯域幅部分（ＢＷＰ）インデックス、制御チャネルリソースセットインデックス、または制御チャネルリソースインデックスのうちの少なくとも１つを含む、請求項９に記載のチャネル構成方法。
【請求項１１】
前記第１のタイプの検索空間および前記第２のタイプの検索空間が、第２のトリガ条件を満たす場合、前記チャネル構成方法はさらに、
前記第２のタイプの検索空間を検出または受信すること
を含む、請求項１−４のいずれか１項に記載のチャネル構成方法。
【請求項１２】
前記第１のタイプの検索空間および前記第２のタイプの検索空間が、第２のトリガ条件を満たす場合、前記第２のトリガ条件は、
前記第２のタイプの検索空間および前記第１のタイプの検索空間が、異なるＯＦＤＭシンボル内にあること、前記第２のタイプの検索空間および前記第１のタイプの検索空間が、異なるタイムスロット内にあること、前記第２のタイプの検索空間および前記第１のタイプの検索空間が、異なるリソースブロック内にあること、前記第２のタイプの検索空間および前記第１のタイプの検索空間が、異なる瞬間にあること、または前記第２のタイプの検索空間および前記第１のタイプの検索空間が、異なるキャリア内にあること
のうちの少なくとも１つを含む、請求項９に記載のチャネル構成方法。
【請求項１３】
前記第２のタイプの検索空間および前記第１のタイプの検索空間が、第１のトリガ条件を満たす場合、前記第２のタイプの検索空間は、検出または受信されない、または
前記第１のタイプの検索空間が、監視されない、または前記第１のタイプの検索空間が、前記第１のタイプの検索空間と関連付けられる監視窓内にない場合、前記第２のタイプの検索空間が、監視される、
請求項１−４のいずれか１項に記載のチャネル構成方法。
【請求項１４】
前記第２のタイプの検索空間および前記第１のタイプの検索空間が、前記第１のトリガ条件を満たす場合、前記第１のタイプの検索空間は、監視状態にある、または前記第１のタイプの検索空間と関連付けられる監視窓内に位置する、請求項１３に記載のチャネル構成方法。
【請求項１５】
前記第１のタイプの検索空間が、ビーム回収検索空間である場合、
前記監視窓は、第１の通信ノードが物理ランダムアクセスチャネル（ＰＲＡＣＨ）を送信した瞬間＋オフセット時間から開始し、前記第１の通信ノードがダウンリンク制御チャネルのためのチャネル特性仮定再構成を受信した瞬間までとなる、請求項１３に記載のチャネル構成方法。
【請求項１６】
チャネル構成方法であって、
制御チャネルリソースセットの第２のチャネル特性仮定を構成し、前記制御チャネルリソースセットの第２のチャネル特性仮定を第１の通信ノードに送信することであって、前記制御チャネルリソースセットは、第１のタイプの検索空間および第２のタイプの検索空間のうちの少なくとも１つによって形成され、前記第２のチャネル特性仮定は、前記第２のタイプの検索空間における制御チャネルリソースの構成のために使用される、ことと、
制御チャネルリソースを前記通信ノードに送信することと
を含む、方法。
【請求項１７】
第１の通信ノードに適用されるチャネル構成方法であって、
第２の通信ノードによって構成されるアップリンク制御チャネルリソースのチャネル特性仮定を受信することと、
前記アップリンク制御チャネルリソースのチャネル特性仮定に従って、前記アップリンク制御チャネルリソースと関連付けられるアップリンク制御チャネルを前記第２の通信ノードに送信することと
を含む、方法。
【請求項１８】
Ｎ個の異なるアップリンク制御チャネルリソースを同時に送信する場合、前記Ｎ個の異なるアップリンク制御チャネルリソースは、
最低、最高、または特定のアップリンク制御チャネルリソースインデックスのアップリンク制御チャネルリソースのチャネル特性仮定、
最低または最高キャリアインデックスのキャリアまたは一次キャリア下のアップリンク制御チャネルリソースのチャネル特性仮定、
最低または最高ＢＷＰインデックスの帯域幅部分（ＢＷＰ）またはアクティブ化されたＢＷＰ下のアップリンク制御チャネルリソースのチャネル特性仮定、
最低または最高キャリアインデックスのキャリアまたは一次キャリア下の最低、最高、または特定のアップリンク制御チャネルリソースインデックスのアップリンク制御チャネルリソースのチャネル特性仮定、
最低または最高ＢＷＰインデックスのＢＷＰまたはアクティブ化されたＢＷＰ下の最低、最高、または特定のアップリンク制御チャネルリソースインデックスのアップリンク制御チャネルリソースのチャネル特性仮定、
最低または最高キャリアインデックスのキャリアまたは一次キャリア下および最低または最高ＢＷＰインデックスのＢＷＰまたはアクティブ化されたＢＷＰ下のアップリンク制御リソースのチャネル特性仮定、または
最低または最高キャリアインデックスのキャリアまたは一次キャリア下および最低または最高ＢＷＰインデックスのＢＷＰまたはアクティブ化されたＢＷＰ下の最低、最高、または特定のアップリンク制御リソースインデックスのアップリンク制御リソースのチャネル特性仮定
のうちの少なくとも１つを通して送信される、請求項１７に記載のチャネル構成方法。
【請求項１９】
前記Ｎ個の異なるアップリンク制御チャネルリソースを同時に送信することは、
同一直交周波数分割多重化（ＯＦＤＭ）シンボル、同一タイムスロット、同一リソースブロック、前記Ｎ個の異なるアップリンク制御チャネルリソースと関連付けられる重複監視窓、または全て同時に有効であることのうちの少なくとも１つにおいて、前記Ｎ個の異なるアップリンク制御チャネルリソースを同時に送信すること
を含む、請求項１８に記載のチャネル構成方法。
【請求項２０】
前記チャネル特性仮定は、空間関係情報または空間関係を含む、請求項１７−１９のいずれか１項に記載のチャネル構成方法。
【請求項２１】
前記アップリンク基準信号、前記アップリンクデータチャネルおよび前記アップリンク制御チャネルが、共通検索空間によってスケジューリングされる、アップリンク基準信号、アップリンクデータチャネルまたはアップリンク制御チャネルのうちの少なくとも１つの優先順位は、ユーザ特有の検索空間によってスケジューリングされる、アップリンク基準信号、アップリンクデータチャネル、およびアップリンク制御チャネルの優先順位より高い、請求項１７−１９のいずれか１項に記載のチャネル構成方法。
【請求項２２】
より低い優先順位を有する、前記アップリンク基準信号、アップリンクデータチャネル、およびアップリンク制御チャネルのチャネル特性仮説は、より高い優先順位を有する、前記アップリンク基準信号、前記アップリンクデータチャネル、または前記アップリンク制御チャネルのうちの前記少なくとも１つに従って決定される、またはより低い優先順位を有する、前記基準信号またはチャネルは、送信されない、請求項２１に記載のチャネル構成方法。
【請求項２３】
前記一次キャリアは、一次セル、または、一次物理アップリンク制御チャネル（ＰＵＣＣＨ）グループ下の一次セルを示す、請求項１８に記載のチャネル構成方法。
【請求項２４】
チャネル構成方法であって、
アップリンク制御チャネルリソースのチャネル特性仮定を構成し、前記アップリンク制御チャネルリソースのチャネル特性仮定を第１の通信ノードに送信することと、
前記アップリンク制御チャネルリソースと関連付けられ、前記アップリンク制御チャネルリソースのチャネル特性仮定に従って前記第１の通信ノードによって送信される、アップリンク制御チャネルを受信することと
を含む、方法。
【請求項２５】
チャネル電力制御方法であって、
第２の通信ノードによって送信される第１のタイプの媒体アクセス制御−制御要素（ＭＡＣ−ＣＥ）シグナリングを受信することと、
前記第１のタイプのＭＡＣ−ＣＥシグナリングに従って、物理アップリンク共有チャネル（ＰＵＳＣＨ）の電力制御パラメータを決定することと
を含む、チャネル電力制御方法。
【請求項２６】
前記第１のタイプのＭＡＣ−ＣＥシグナリングは、半持続的チャネルサウンディング基準信号（ＳＲＳ）をアクティブ化またはアクティブ化解除するために、または前記第１のタイプのＭＡＣ−ＣＥシグナリングと関連付けられるＳＲＳの空間関係を構成するために使用され、前記ＳＲＳは、非コードブックモードまたはコードブックモードにおいて使用される、請求項２５に記載のチャネル電力制御方法。
【請求項２７】
前記ＰＵＳＣＨの電力制御パラメータを決定することは、
前記第１のタイプのＭＡＣ−ＣＥシグナリングに従って、前記ＰＵＳＣＨの開ループ電力制御パラメータを決定すること、
前記第１のタイプのＭＡＣ−ＣＥシグナリングに従って、前記ＰＵＳＣＨの経路損失（ＰＬ）基準信号を決定することと、
前記第１のタイプのＭＡＣ−ＣＥシグナリングに従って、前記ＰＵＳＣＨの閉ループ電力制御インデックスを決定すること、または
前記ＰＵＳＣＨの閉ループ電力制御値をリセットすること
のうちの少なくとも１つを含む、請求項２５または２６に記載のチャネル電力制御方法。
【請求項２８】
前記開ループ電力制御パラメータは、アルファおよび標的電力ｐ０を含む、請求項２７に記載のチャネル電力制御方法。
【請求項２９】
前記第１のタイプのＭＡＣ−ＣＥシグナリングは、
ダウンリンク制御情報（ＤＣＩ）内で、開ループ電力制御パラメータセット内の要素インデックスがチャネルサウンディング基準信号リソースインジケータ（ＳＲＩ）コード値と関連付けられることを示す前記第１のタイプのＭＡＣ−ＣＥシグナリング、またはＤＣＩ内でＳＲＩフィールドと関連付けられる開ループ電力制御パラメータ値を搬送する前記第１のタイプのＭＡＣ−ＣＥシグナリング、
ＰＬ基準信号のセット内の要素インデックスがＤＣＩ内で搬送されるＳＲＩコード値と関連付けられることを示す前記第１のタイプのＭＡＣ−ＣＥシグナリング、またはＤＣＩ内でＳＲＩフィールドと関連付けられるＰＬ基準信号インデックスを搬送する前記第１のタイプのＭＡＣ−ＣＥシグナリング、または
ＤＣＩ内で、ＳＲＩコード値と関連付けられる前記閉ループ電力制御インデックスを搬送する前記第１のタイプのＭＡＣ−ＣＥシグナリング
のうちの少なくとも１つを含む、請求項２７に記載のチャネル電力制御方法。
【請求項３０】
前記開ループ電力制御パラメータセット内の無線リソース制御（ＲＲＣ）によって構成される前記ＤＣＩ内のＳＲＩコード値と関連付けられる前記要素インデックスによって、前記ＰＵＳＣＨの開ループ電力制御パラメータを決定することと、
前記ＤＣＩ内のＳＲＩと関連付けられる半持続的ＳＲＳの空間パラメータと関連付けられるダウンリンク基準信号によって、前記ＰＵＳＣＨのＰＬ基準信号を決定することと、
ＲＲＣによって構成される前記ＤＣＩ内のＳＲＩコード値と関連付けられる前記閉ループ電力制御インデックスによって、前記ＰＵＳＣＨの開ループ電力制御パラメータを決定することと
をさらに含む、請求項２９に記載のチャネル電力制御方法。
【請求項３１】
ＲＲＣシグナリングによって、前記開ループ電力制御パラメータセットを構成すること、または
ＲＲＣシグナリングによって、前記ＰＬ基準信号のセットを構成すること
のうちの１つをさらに含む、請求項２９に記載のチャネル電力制御方法。
【請求項３２】
チャネル電力制御方法であって、
第１のタイプの媒体アクセス制御−制御要素（ＭＡＣ−ＣＥ）シグナリングを生成することであって、前記第１のタイプのＭＡＣ−ＣＥシグナリングは、物理アップリンク共有チャネル（ＰＵＳＣＨ）の電力制御パラメータを決定するために使用される、ことと、
前記第１のタイプのＭＡＣ−ＣＥシグナリングを通信ノードに送信することと
を含む、チャネル電力制御方法。
【請求項３３】
チャネル構成デバイスであって、
第１の特性受信モジュールであって、前記第１の特性受信モジュールは、第２の通信ノードによって構成される制御チャネルリソースセットの第２のチャネル特性仮定を受信するように構成され、前記制御チャネルリソースセットは、第１のタイプの検索空間または第２のタイプの検索空間のうちの少なくとも１つによって形成され、前記第２のチャネル特性仮定は、前記第２のタイプの検索空間における制御チャネルリソースの構成のために使用される、第１の特性受信モジュールと、
第１のリソース受信モジュールであって、前記第１のリソース受信モジュールは、前記第２のチャネル特性仮定に従って前記第２の通信ノードによって送信される制御チャネルリソースを受信するように構成される、第１のリソース受信モジュールと
を備える、チャネル構成デバイス。
【請求項３４】
チャネル構成デバイスであって、
第１の特性送信モジュールであって、前記第１の特性送信モジュールは、制御チャネルリソースセットの第２のチャネル特性仮定を構成し、前記制御チャネルリソースセットの第２のチャネル特性仮定を第１の通信ノードに送信するように構成され、前記制御チャネルリソースセットは、第１のタイプの検索空間または第２のタイプの検索空間のうちの少なくとも１つによって形成され、前記第２のチャネル特性仮定は、前記第２のタイプの検索空間における制御チャネルリソースの構成のために使用される、第１の特性送信モジュールと、
第１のリソース送信モジュールであって、前記第１のリソース送信モジュールは、制御チャネルリソースを前記第１の通信ノードに伝送するように構成される、第１のリソース送信モジュールと
を備える、チャネル構成デバイス。
【請求項３５】
チャネル構成デバイスであって、
第２の特性受信モジュールであって、前記第２の特性受信モジュールは、第２の通信ノードによって構成されるアップリンク制御チャネルリソースのチャネル特性仮定を受信するように構成される、第２の特性受信モジュールと、
第２のリソース送信モジュールであって、前記第２のリソース送信モジュールは、前記アップリンク制御チャネルリソースのチャネル特性仮定に従って、前記アップリンク制御チャネルリソースと関連付けられるアップリンク制御チャネルを前記第２の通信ノードに送信するように構成される、第２のリソース送信モジュールと
を備える、チャネル構成デバイス。
【請求項３６】
チャネル構成デバイスであって、
第２の特性送信モジュールであって、前記第２の特性送信モジュールは、アップリンク制御チャネルリソースのチャネル特性仮定を構成し、前記アップリンク制御チャネルリソースのチャネル特性仮定を第１の通信ノードに送信するように構成される、第２の特性送信モジュールと、
第２のリソース受信モジュールであって、前記第２のリソース受信モジュールは、前記アップリンク制御チャネルリソースと関連付けられ、前記アップリンク制御チャネルリソースのチャネル特性仮定に従って前記第１の通信ノードによって送信される、アップリンク制御チャネルを受信するように構成される、第２のリソース受信モジュールと
を備える、チャネル構成デバイス。
【請求項３７】
チャネル電力制御デバイスであって、
シグナリング受信モジュールであって、前記シグナリング受信モジュールは、第２の通信ノードによって送信される第１のタイプの媒体アクセス制御−制御要素（ＭＡＣ−ＣＥ）シグナリングを受信するように構成される、シグナリング受信モジュールと、
電力決定モジュールであって、前記電力決定モジュールは、前記第１のタイプのＭＡＣ−ＣＥシグナリングに従って、物理アップリンク共有チャネル（ＰＵＳＣＨ）の電力制御パラメータを決定するように構成される、電力決定モジュールと
を備える、チャネル電力制御デバイス。
【請求項３８】
チャネル電力制御デバイスであって、
シグナリング生成モジュールであって、前記シグナリング生成モジュールは、第１のタイプの媒体アクセス制御−制御要素（ＭＡＣ−ＣＥ）シグナリングを生成するように構成され、前記第１のタイプのＭＡＣ−ＣＥシグナリングは、前記ＰＵＳＣＨの電力制御パラメータを決定するために使用される、シグナリング生成モジュールと、
シグナリング送信モジュールであって、前記シグナリング送信モジュールは、前記第１のタイプのＭＡＣ−ＣＥシグナリングを第１の通信ノードに送信するように構成される、シグナリング送信モジュールと
を備える、チャネル電力制御デバイス。
【請求項３９】
ユーザ機器であって、前記ユーザ機器は、第１のプロセッサと、第１のメモリと、第１の通信バスとを備え、
前記第１の通信バスは、前記第１のプロセッサと前記第１のメモリとの間の接続および通信を実装するように構成され、
前記第１のプロセッサは、前記第１のメモリ内に記憶されるコンピュータプログラムを実行し、請求項１−１５のいずれか１項に記載のチャネル構成方法、請求項１７−２３のいずれか１項に記載のチャネル構成方法、または請求項２５−３１のいずれか１項に記載のチャネル電力制御方法を実装するように構成される、ユーザ機器。
【請求項４０】
基地局であって、前記基地局は、第２のプロセッサと、第２のメモリと、第２の通信バスとを備え、
前記第２の通信バスは、前記第２のプロセッサと前記第２のメモリとの間の接続および通信を実装するように構成され、
前記第２のプロセッサは、前記第２のメモリ内に記憶されるコンピュータプログラムを実行し、請求項１６に記載のチャネル構成方法、請求項２４に記載のチャネル構成方法、または請求項３２に記載のチャネル電力制御方法を実装するように構成される、基地局。
【請求項４１】
少なくとも１つのコンピュータプログラムを記憶するコンピュータ可読記憶媒体であって、前記少なくとも１つのコンピュータプログラムは、少なくとも１つのプロセッサによって実行可能であり、請求項１−１５のいずれか１項に記載のチャネル構成方法、請求項１７−２３のいずれか１項に記載のチャネル構成方法、または請求項２５−３１のいずれか１項に記載のチャネル電力制御方法を実装する、コンピュータ可読記憶媒体。
【請求項４２】
少なくとも１つのコンピュータプログラムを記憶するコンピュータ可読記憶媒体であって、前記少なくとも１つのコンピュータプログラムは、少なくとも１つのプロセッサによって実行可能であり、請求項１６に記載のチャネル構成方法、請求項２４に記載のチャネル構成方法、または請求項３２に記載のチャネル電力制御方法を実装する、コンピュータ可読記憶媒体。
【発明の詳細な説明】
【技術分野】
【０００１】
本願は、その内容が、参照することによってその全体として本明細書に組み込まれる、２０１８年５月１１日にＣＮＩＰＡに出願された、中国特許出願第２０１８１０４４９６８１．８号の優先権を主張する。
【０００２】
本発明は、通信の分野に関し、例えば、チャネル構成および電力制御方法およびデバイスと、ユーザ機器と、基地局と、記憶媒体とに関する。
【背景技術】
【０００３】
超広帯域幅（すなわち、ミリ波通信）を伴う高周波数帯域は、将来における重要なモバイル通信発展指針となっており、世界中の学術研究機関および産業の注目を集めている。特に、現在におけるますます輻輳しつつあるスペクトルリソースおよび物理ネットワークへの大量アクセスに伴って、ミリ波の利点は、ますます魅力的になっている。対応する規格化作業が、米国電気電子学会（ＩＥＥＥ）および第３世代パートナーシッププロジェクト（３ＧＰＰ）等の多くの規格化団体において開始されている。例えば、３ＧＰＰ規格化グループでは、高周波数帯域通信は、広帯域幅のその有意な利点に起因して、５Ｇ新規無線アクセス技術（新ＲＡＴ）の重要な革新点となっている。
【０００４】
既存の５Ｇ通信システムでは、アナログビームスケジューリングの制約が、考慮される必要があるため、１つのアナログビーム次元のリソースのみが、制御チャネル、データチャネル、および基準信号の送信の際、事実上、スケジューリングされることができる。しかしながら、実際の伝送では、フレキシブルなスケジューリングをサポートする必要性に起因して、１つを上回る制御チャネル、データチャネル、および基準信号が、同時に送信または受信され、伝送性能を最大限にする必要がある。上記に述べられた技術的問題に関して、複数の制御チャネル、データチャネル、および基準信号の同時送信および受信をサポートするソリューションは、既存の技術では提案されていない。
【発明の概要】
【発明が解決しようとする課題】
【０００５】
本発明の実施形態は、既存の技術における、複数の制御チャネル、データチャネル、および基準信号の同時送信および受信をサポートするソリューションの欠如の問題を解決することを狙いとして、チャネル構成および電力制御方法およびデバイスと、ユーザ機器と、基地局と、記憶媒体とを提供する。
【課題を解決するための手段】
【０００６】
上記の技術的問題を解決するために、本発明の実施形態は、チャネル構成方法を提供する。本方法は、第２の通信ノードによって構成される制御チャネルリソースセットの第２のチャネル特性仮定を受信するステップであって、制御チャネルリソースセットは、第１のタイプの検索空間および／または第２のタイプの検索空間によって形成され、第２のチャネル特性仮定は、第２のタイプの検索空間における制御チャネルリソースの構成のために使用される、ステップと、第２のチャネル特性仮定に従って第２の通信ノードによって送信される、制御チャネルリソースを受信するステップとを含む。
【０００７】
本発明の実施形態はさらに、チャネル構成方法を提供する。本方法は、制御チャネルリソースセットの第２のチャネル特性仮定を構成し、制御チャネルリソースセットの第２のチャネル特性仮定を第１の通信ノードに送信するステップであって、制御チャネルリソースセットは、第１のタイプの検索空間および／または第２のタイプの検索空間によって形成され、第２のチャネル特性仮定は、第２のタイプの検索空間における制御チャネルリソースの構成のために使用される、ステップと、制御チャネルリソースを第１の通信ノードに送信するステップとを含む。
【０００８】
本発明の実施形態はさらに、チャネル構成方法を提供する。本方法は、第２の通信ノードによって構成される、アップリンク制御チャネルリソースのチャネル特性仮定を受信するステップと、アップリンク制御チャネルリソースのチャネル特性仮定に従って、アップリンク制御チャネルリソースと関連付けられるアップリンク制御チャネルを第２の通信ノードに送信するステップとを含む。
【０００９】
本発明の実施形態はさらに、チャネル構成方法を提供する。本方法は、アップリンク制御チャネルリソースのチャネル特性仮定を構成し、制御チャネルリソースセットの第２のチャネル特性仮定を第１の通信ノードに送信するステップと、アップリンク制御チャネルリソースのチャネル特性仮定に従って第１の通信ノードによって送信される、アップリンク制御チャネルリソースと関連付けられるアップリンク制御チャネルを受信するステップとを含む。
【００１０】
本発明の実施形態はさらに、チャネル電力制御方法を提供する。本方法は、第２の通信ノードによって送信される、第１のタイプの媒体アクセス制御−制御要素（ＭＡＣ−ＣＥ）シグナリングを受信するステップと、第１のタイプのＭＡＣ−ＣＥシグナリングに従って、物理アップリンク共有チャネル（ＰＵＳＣＨ）の電力制御パラメータを決定するステップとを含む。
【００１１】
本発明の実施形態はさらに、チャネル電力制御方法を提供する。本方法は、第１のタイプのＭＡＣ−ＣＥシグナリングを生成するステップであって、第１のタイプのＭＡＣ−ＣＥシグナリングは、ＰＵＳＣＨの電力制御パラメータを決定するために使用される、ステップと、第１のタイプのＭＡＣ−ＣＥシグナリングを第１の通信ノードに伝送するステップとを含む。
【００１２】
本発明の実施形態はさらに、チャネル構成デバイスを提供する。本デバイスは、第２の通信ノードによって構成される、制御チャネルリソースセットの第２のチャネル特性仮定を受信するように構成される、第１の特性受信モジュールであって、制御チャネルリソースセットは、第１のタイプの検索空間および／または第２のタイプの検索空間によって形成され、第２のチャネル特性仮定は、第２のタイプの検索空間における制御チャネルリソースの構成のために使用される、第１の特性受信モジュールと、第２のチャネル特性仮定に従って第２の通信ノードによって送信される、制御チャネルリソースを受信するように構成される、第１のリソース受信モジュールとを含む。
【００１３】
本発明の実施形態はさらに、チャネル構成デバイスを提供する。本デバイスは、制御チャネルリソースセットの第２のチャネル特性仮定を構成し、制御チャネルリソースセットの第２のチャネル特性仮定を送信するように構成される、第１の特性送信モジュールであって、制御チャネルリソースセットは、第１のタイプの検索空間および／または第２のタイプの検索空間によって形成され、第２のチャネル特性仮定は、第２のタイプの検索空間における制御チャネルリソースの構成のために使用される、第１の特性送信モジュールと、制御チャネルリソースを第１の通信ノードに伝送するように構成される、第１のリソース送信モジュールとを含む。
【００１４】
本発明の実施形態はさらに、チャネル構成デバイスを提供する。本デバイスは、第２の通信ノードによって構成される、アップリンク制御チャネルリソースのチャネル特性仮定を受信するように構成される、第２の特性受信モジュールと、アップリンク制御チャネルリソースのチャネル特性仮定に従って、アップリンク制御チャネルリソースと関連付けられるアップリンク制御チャネルを第２の通信ノードに伝送するように構成される、第２のリソース送信モジュールとを含む。
【００１５】
本発明の実施形態はさらに、チャネル構成デバイスを提供する。本デバイスは、制御チャネルリソースセットの第２のチャネル特性仮定を構成し、制御チャネルリソースセットの第２のチャネル特性仮定を送信するように構成される、第２の特性送信モジュールと、アップリンク制御チャネルリソースのチャネル特性仮定に従って第１の通信ノードによって送信される、アップリンク制御チャネルリソースと関連付けられるアップリンク制御チャネルを受信するように構成される、第２のリソース受信モジュールとを含む。
【００１６】
本発明の実施形態はさらに、チャネル電力制御デバイスを提供する。本デバイスは、第２の通信ノードによって伝送される第１のタイプのＭＡＣ−ＣＥシグナリングを受信するように構成される、シグナリング受信モジュールと、第１のタイプのＭＡＣ−ＣＥシグナリングに従って、ＰＵＳＣＨの電力制御パラメータを決定するように構成される、電力決定モジュールとを含む。
【００１７】
本発明の実施形態はさらに、チャネル電力制御デバイスを提供する。本デバイスは、第１のタイプのＭＡＣ−ＣＥシグナリングを生成するように構成される、シグナリング生成モジュールであって、第１のタイプのＭＡＣ−ＣＥシグナリングは、ＰＵＳＣＨの電力制御パラメータを決定するために使用される、シグナリング生成モジュールと、第１のタイプのＭＡＣ−ＣＥシグナリングを第１の通信ノードに伝送するように構成される、シグナリング送信モジュールとを含む。
【００１８】
本発明の実施形態はさらに、ユーザ機器を提供する。ユーザ機器は、第１のプロセッサと、第１のメモリと、第１の通信バスとを含む。第１の通信バスは、第１のプロセッサと第１のメモリとの間の接続通信を実装するように構成され、第１のプロセッサは、第１のメモリ内に記憶されるコンピュータプログラムを実行し、上記に述べられたチャネル構成方法またはチャネル電力制御方法のステップを実施するように構成される。
【００１９】
本発明の実施形態はさらに、基地局を提供する。基地局は、第２のプロセッサと、第２のメモリと、第２の通信バスとを含む。第２の通信バスは、第２のプロセッサと第２のメモリとの間の接続通信を実装するように構成され、第２のプロセッサは、第２のメモリ内に記憶されるコンピュータプログラムを実行し、上記に述べられたチャネル構成方法またはチャネル電力制御方法のステップを実装するように構成される。
【００２０】
本発明の実施形態はさらに、コンピュータ可読記憶媒体を提供する。コンピュータ可読記憶媒体は、１つ以上のコンピュータプログラムを記憶するように構成され、１つ以上のコンピュータプログラムは、１つ以上のプロセッサによって実行可能であって、上記に述べられたチャネル構成方法またはチャネル電力制御方法のステップを実装する。
【００２１】
本発明の実施形態は、以下の有益な効果を有する。
【００２２】
本発明の実施形態は、チャネル構成および電力制御方法およびデバイスと、ユーザ機器と、基地局と、記憶媒体とを提供する。第２の通信ノードによって構成される、制御チャネルリソースセットの第２のチャネル特性仮定が、受信され、制御チャネルリソースセットは、第１のタイプの検索空間および／または第２のタイプの検索空間によって形成され、第２のチャネル特性仮定は、第２のタイプの検索空間における制御チャネルリソースの構成のために使用され、第２の通信ノードによって送信される制御チャネルリソースは、第２のチャネル特性仮定に従って受信される。したがって、チャネルリソースのスケジューリングは、複数の制御チャネル、データチャネル、および基準信号間の協調が、行われ、それによって、複数の制御チャネル、データチャネル、および基準信号の同時スケジューリングを事実上達成し、システム性能を有意に改良するように、第２のチャネル特性仮定を提供することによって達成される。
【００２３】
本発明の実施形態の他の特徴および対応する有益な効果は、本説明において後に記載され、有益な効果の少なくとも一部が本願の説明から明白になることを理解されたい。
【図面の簡単な説明】
【００２４】
【図１】図１は、本発明の個別の実施形態によって提供される、ハイブリッドプリコーディング送受信機の構造を図示する、概略図である。
【図２】図２は、本発明の実施形態のうちの１つによって提供される、チャネル構成方法を図示する、フローチャートである。
【図３】図３は、本発明の個別の実施形態に関連する、ＰＤＣＣＨチャネル特性仮定の有効条件を図示する、概略図である。
【図４】図４は、本発明の個別の実施形態に関連する、ＰＤＣＣＨチャネル特性仮定の有効条件を図示する、概略図である。
【図５】図５は、本発明の実施形態２によって提供される、チャネル構成方法を図示する、フローチャートである。
【図６】図６は、本発明の実施形態３によって提供される、チャネル構成方法を図示する、フローチャートである。
【図７】図７は、本発明の実施形態４によって提供される、チャネル構成方法を図示する、フローチャートである。
【図８】図８は、本発明の実施形態５によって提供される、電力制御方法を図示する、フローチャートである。
【図９】図９は、本発明の実施形態６によって提供される、電力制御方法を図示する、フローチャートである。
【図１０】図１０は、本発明の個別の実施形態に関連する、ＰＤＣＣＨチャネル特性仮定の有効ルールを図示する、概略図である。
【図１１】図１１は、本発明の個別の実施形態に関連する、媒体アクセス制御−制御要素（ＭＡＣ−ＣＥ）構成電力制御パラメータのシグナリングフォーマットを図示する、概略図である。
【図１２】図１２は、本発明の個別の実施形態に関連する、ＭＡＣ−ＣＥ構成電力制御パラメータのシグナリングフォーマットを図示する、概略図である。
【図１３】図１３は、本発明の実施形態１１によって提供される、チャネル構成デバイスの構成物を図示する、概略図である。
【図１４】図１４は、本発明の実施形態１２によって提供される、チャネル構成デバイスの構成物を図示する、概略図である。
【図１５】図１５は、本発明の実施形態１３によって提供される、チャネル構成デバイスの構成物を図示する、概略図である。
【図１６】図１６は、本発明の実施形態１４によって提供される、チャネル構成デバイスの構成物を図示する、概略図である。
【図１７】図１７は、本発明の実施形態１５によって提供される、チャネル電力制御デバイスの構成物を図示する、概略図である。
【図１８】図１８は、本発明の実施形態１６によって提供される、チャネル電力制御デバイスの構成物を図示する、概略図である。
【図１９】図１９は、本発明の実施形態１７によって提供される、ユーザ機器の構成物の概略図である。
【図２０】図２０は、本発明の実施形態１８によって提供される、基地局の構成物の概略図である。
【発明を実施するための形態】
【００２５】
本願の目的、ソリューション、および利点をより明確に例証するために、本発明の実施形態は、実施形態および図面と併せて詳細に下記に説明されるであろう。本明細書に説明される実施形態は、単に、本願を解説するように意図され、本願を限定するものではないことを理解されたい。
【００２６】
図１は、本願による、ハイブリッドプリコーディング（ハイブリッドアナログおよびデジタルビーム形成）のための送受信機の構造略図である。システムの送信端および受信端は、複数のアンテナユニットと、複数の無線周波数リンクとともに構成される。各無線周波数リンクは、アンテナアレイユニットに接続され（部分的接続シナリオも、除外されない）、各アンテナユニットは、デジタルキーイング移相器を有する。高周波数帯域システムは、異なる位相シフトを個別のアンテナユニットの信号上にロードすることによって、アナログ端のビーム形成を実装する。具体的には、ハイブリッドビーム形成送受信機では、複数の無線周波数信号ストリームが存在する。各信号ストリームは、デジタルキーイング移相器を介して、プリコーディングアンテナ加重ベクトル（ＡＷＶ）をロードされ、複数のアンテナユニットから高周波数帯域物理伝搬チャネルに送信される。受信端では、複数のアンテナユニットによって受信された無線周波数信号ストリームは、加重され、単一信号ストリームの中に組み合わせられ、無線周波数復調が、受信端において実施された後、受信機は、最後に、複数の受信された信号ストリームを取得し、これは、デジタルベースバンドによってサンプリングおよび受信される。
【００２７】
ユーザ機器（ＵＥ）端は、基地局端によって構成される、制御チャネルリソースセットのチャネル特性仮定を受信し、制御チャネルリソースセットは、第１のタイプの検索空間および／または第２のタイプの検索空間から形成される。チャネル特性仮定は、第２のタイプの検索空間に作用し、制御チャネルリソースセットは、ダウンリンク制御チャネルリソースセットを指す。表現を説明するために、本発明の実施形態では、ＵＥは、第１の通信ノードとも呼ばれ、基地局は、第２の通信ノードとも呼ばれる。
【００２８】
加えて、第１のタイプの検索空間は、共通検索空間またはビーム回収検索空間である。具体的には、共通検索空間は、限定ではないが、以下を含む。
１）タイプ０−ＰＤＣＣＨ（物理ダウンリンク制御チャネル）共通検索空間
２）タイプ０Ａ−ＰＤＣＣＨ共通検索空間
３）タイプ１−ＰＤＣＣＨ共通検索空間
４）タイプ２−ＰＤＣＣＨ共通検索空間
５）タイプ３−ＰＤＣＣＨ共通検索空間
【００２９】
第１のタイプの検索空間は、チャネル状態情報の明示的構成を要求しない。代わりに、第１のタイプの検索空間のチャネル特性仮定が、所定の基準を介して決定される。例えば、第１のタイプの検索空間とダウンリンク基準信号（同期基準信号ＳＳ／ＰＢＣＨ等）との間の対応が、構成され、ＵＥが、検索空間を受信することを所望するとき、チャネル特性仮定は、対応に従って仮定される必要がある、すなわち、ＵＥ端の受信されたビーム情報が、決定される。
【００３０】
ビーム回収検索空間に関して、監視窓は、第１の通信ノードが物理ランダムアクセスチャネル（ＰＲＡＣＨ）を伝送した瞬間＋オフセット時間から開始し、第１の通信ノードがダウンリンク制御チャネルのためのチャネル特性仮定再構成を受信した瞬間までとなる。加えて、対応するチャネル特性仮定は、ＵＥによって報告されるＰＲＡＣＨと関連付けられるダウンリンク基準信号に基づく。
【００３１】
加えて、第２のタイプの検索空間は、ユーザ特有の検索空間を指し、そのチャネル特性仮定情報は、基地局の明示的構成シグナリングを介して決定される。さらに、チャネル特性仮定は、擬似コロケーション（ＱＣＬ）、または空間ＱＣＬ、または伝送構成インジケーション（ＴＣＩ）を指す。さらに、チャネル特性仮説は、ビームインジケーションのために使用される。
【００３２】
本発明の実施形態の基準信号は、以下のうちの少なくとも１つを含む。
１）チャネル状態情報基準信号（ＣＳＩ−ＲＳ）
２）チャネル状態情報干渉測定信号（ＣＳＩ−ＩＭ）
３）復調基準信号（ＤＭＲＳ）
４）ダウンリンク復調基準信号（ＤＬ  ＤＭＲＳ）
５）アップリンク復調基準信号（ＵＬ  ＤＭＲＳ）
６）チャネルサウンディング基準信号（ＳＲＳ）
７）位相を追跡する基準信号（ＰＴ−ＲＳ）
８）ランダムアクセスチャネル信号（ＲＡＣＨ）
９）同期信号（ＳＳ）
１０）同期信号ブロック（ＳＳブロック）
１１）一次同期信号（ＰＳＳ）、または
１２）二次同期信号（ＳＳＳ）
【００３３】
ビームは、リソース（例えば、送信端空間フィルタ、受信端空間フィルタ、送信端プリコーディング、受信端プリコーディング、アンテナポート、アンテナ加重ベクトル、およびアンテナ加重行列）であってもよい。ビームシーケンス番号は、ビームが、伝送のためのいくつかの時間−周波数コードリソースに結び付けられ得るため、リソースインデックス（例えば、基準信号リソースインデックス）と置換されてもよい。ビームはまた、伝送（送信／受信）様式であってもよい。伝送様式は、空間分割多重化、周波数ドメイン／時間ドメインダイバーシティ、および同等物を含んでもよい。
【００３４】
さらに、基地局端は、２つの基準信号のための擬似コロケーション構成を実施し、ＵＥ端に知らせ、チャネル特性仮定を説明してもよい。擬似コロケーションに関連するパラメータは、少なくとも、ドップラー拡散、ドップラーシフト、遅延拡散、平均遅延、平均利得、および空間パラメータを含み、空間パラメータは、到着角、受信されたビームの空間相関、平均遅延、および時間−周波数チャネル応答相関（位相情報を含む）等の空間受信パラメータを含んでもよい。
【００３５】
実施形態１
図２を参照すると、図２は、本発明の実施形態１によって提供される、チャネル構成方法を図示する、フローチャートである。本方法は、以下のステップを含む。
【００３６】
Ｓ２０１では、第２の通信ノードによって構成される制御チャネルリソースセットの第２のチャネル特性仮定が、受信され、制御チャネルリソースセットは、第１のタイプの検索空間および／または第２のタイプの検索空間によって形成され、第２のチャネル特性仮定は、第２のタイプの検索空間における制御チャネルリソースの構成のために使用される。
【００３７】
Ｓ２０２では、第２の通信ノードによって送信される、制御チャネルリソースが、第２のチャネル特性仮定に従って受信される。
【００３８】
制御チャネルリソースセットは、ダウンリンク制御チャネルリソースセットを指す。本実施形態では、第１のタイプの検索空間の第１のチャネル特性仮定は、所定の基準を介して決定されることができる。
【００３９】
いくつかの実施形態では、第１のタイプの検索空間は、共通検索空間および／またはビーム回収検索空間を含む。
【００４０】
いくつかの実施形態では、第２のタイプの検索空間は、ユーザ特有の検索空間を含む。
【００４１】
いくつかの実施形態では、第２のチャネル特性仮定は、擬似コロケーション、空間擬似コロケーション、または伝送構成インジケーション状態のうちの少なくとも１つを含む。
【００４２】
いくつかの実施形態では、第１のタイプの検索空間および第２のタイプの検索空間が、第１のトリガ条件を満たす場合、以下のうちの少なくとも１つが、含まれる。第１のタイプの検索空間が、受信または監視される。第２のチャネル特性仮定が、第１のタイプの検索空間の第１のチャネル特性仮定によって決定される。第２のチャネル特性仮定が、第１のタイプの検索空間の第１のチャネル特性仮定と同一である。第２のチャネル特性仮定が、第１のタイプの検索空間における特定の検索空間インデックスを伴う検索空間の第１のチャネル特性仮定と同一である。第１のチャネル特性仮定および第２のチャネル特性仮定が、第１のタイプの検索空間における特定の検索空間インデックスを伴う検索空間の第１のチャネル特性仮定と同一である。第２のチャネル特性仮定および第１のチャネル特性仮定が、同一である場合、第２のタイプの検索空間が、受信または監視される。
【００４３】
いくつかの実施形態では、第１のタイプの検索空間および第２のタイプの検索空間が、第１のトリガ条件を満たす場合、第１のトリガ条件は、以下のうちの少なくとも１つを含む。第１のタイプの検索空間および第２のタイプの検索空間が、同一直交周波数分割多重化（ＯＦＤＭ）シンボル内にある。第１のタイプの検索空間および第２のタイプの検索空間が、同一タイムスロット内にある。第１のタイプの検索空間および第２のタイプの検索空間が、同一リソースブロック内にある。第１のタイプの検索空間および第２のタイプの検索空間と関連付けられる監視窓が、相互に重複する。また、第１のタイプの検索空間および第２のタイプの検索空間が、同時に有効である。特定の検索空間インデックスは、以下、すなわち、最低インデックスシーケンス番号、最高インデックスシーケンス番号、または特定の検索空間インデックスシーケンス番号のうちの１つを含む。
【００４４】
いくつかの実施形態では、第１のタイプの検索空間および第２のタイプの検索空間は、同一制御チャネルリソースセットからのものである。異なる制御リソースセット、異なるキャリア、異なる帯域幅部分（ＢＷＰ）下の第１のタイプの検索空間および第２のタイプの検索空間のチャネル特性仮説の不一致は、無視されることができる。代替として、異なる制御リソースセット、異なるキャリア、および異なるＢＷＰ下の第１のタイプの検索空間および第２のタイプの検索空間のチャネル特性仮説の非同時検出は、第１の通信ノードによって実施されることができる。
【００４５】
図３は、本願に関連する、ＰＤＣＣＨチャネル特性仮定の有効条件を図示する、概略図である。ＵＥ−ＳＳは、ＵＥ特定検索空間、すなわち、本発明の実施形態では、第２のタイプの検索空間を表し、ＣＳＳは、共通検索空間、すなわち、本発明の実施形態では、第１のタイプの検索空間を表す。基地局は、ＴＣＩを介して、第２のタイプの検索空間ＵＥ−ＳＳのチャネル特性仮定を構成し、第１のタイプの検索空間は、デフォルト仮説または構成を通して、以前に送信されたＳＳＢと対応する関係を有する。ここでは、ＵＥ−ＳＳのＴＣＩ構成は、ＳＳＢ２であって、ＵＥ−ＳＳは、２スロットの周期を有すると仮定される。したがって、スロット−｛ｎ＋１｝およびスロット−｛ｎ＋３｝では、ＵＥ−ＳＳおよびＣＳＳのための同時送信の問題が存在する。本発明の実施形態は、ＣＳＳがＵＥ−ＳＳより高い優先順位を有することを要求する。衝突の間、ＵＥ−ＳＳは、ＣＳＳのチャネル特性仮定に準拠する必要がある。したがって、スロット−｛ｎ＋３｝では、ＵＥ−ＳＳは、ＣＳＳ−４のＳＳＢ−２に従って受信される必要がある。第１のタイプの検索空間および第２のタイプの検索空間は、同一制御リソースセットからのものである、または異なる制御リソースセットからのものであってもよいことに留意されたい。
【００４６】
いくつかの実施形態では、第１のタイプの検索空間および第２のタイプの検索空間が、第１のトリガ条件を満たす、または関連付けられる窓が、重複または部分的に重複する場合、以下が、さらに含まれる。プリセットインデックス下の最低インデックス、最高インデックス、または特定のインデックスのうちの１つの第１のタイプの検索空間が、受信または監視される。第２のチャネル特性仮定が、プリセットインデックス下の最低インデックス、最高インデックス、または特定のインデックスのうちの１つの第１のタイプのチャネル特性仮定によって決定される、第２のチャネル特性仮定が、プリセットインデックス下の最低インデックス、最高インデックス、または特定のインデックスのうちの１つの第１のチャネル特性仮定と同一であって、第２のチャネル特性仮定が、最低検索空間インデックスを有し、プリセットインデックス下の最低インデックス、最高インデックス、または特定のインデックスのうちの１つの第１のタイプの検索空間内にある、検索空間のチャネル特性仮定と同一である。
【００４７】
いくつかの実施形態では、プリセットインデックスは、キャリアインデックス、ＢＷＰインデックス、制御チャネルリソースセットインデックス、または制御チャネルリソースインデックスのうちの少なくとも１つを含む。プリセットインデックスは、Ｖ番目のタイプのインデックスとも称され得る。
【００４８】
いくつかの実施形態では、第１のタイプの検索空間および第２のタイプの検索空間が、第２のトリガ条件を満たす場合、第２のタイプの検索空間を検出または受信するステップがさらに、含まれる。
【００４９】
いくつかの実施形態では、第１のタイプの検索空間および第２のタイプの検索空間が、第２のトリガ条件を満たす場合、第２のトリガ条件は、以下のうちの少なくとも１つを含む。第２のタイプの検索空間および第１のタイプの検索空間が、異なるＯＦＤＭシンボル内にある。第２のタイプの検索空間および第１のタイプの検索空間が、異なるタイムスロット内にある。第２のタイプの検索空間および第１のタイプの検索空間が、異なるリソースブロック内にある。第２のタイプの検索空間および第１のタイプの検索空間が、異なる瞬間内にある。また、第２のタイプの検索空間および第１のタイプの検索空間が、異なるキャリア内にある。
【００５０】
随意に、第２のタイプの検索空間および第１のタイプの検索空間が、ＯＦＤＭシンボル、スロット、ＲＢ（リソースブロック、リソースブロック）、またはキャリア内で衝突すると、第２のタイプの検索空間が、検出または受信されなくてもよい。随意に、第２のタイプの検索空間が、監視される場合、第１のタイプの検索空間は、監視されない、またはその関連付けられる監視窓内にない。第１のタイプの検索空間は、監視状態にあってもよい、またはその関連付けられる監視窓内にある。
【００５１】
随意に、第１のタイプの検索空間が、ビーム回収検索空間である場合、監視窓は、第１の通信ノードがＰＲＡＣＨを伝送した瞬間＋オフセット時間から開始し、第１の通信ノードがダウンリンク制御チャネルのためのチャネル特性仮定再構成を受信した瞬間までとなる。
【００５２】
図４は、本願に関連する、ＰＤＣＣＨチャネル特性仮定の有効条件を図示する、別の概略図である。複数のキャリアを考慮する場合、すなわち、一次セルおよび二次セルの場合、ＵＥ−ＳＳおよびＣＳＳが、同時に送信されると、一次セルの検索空間のチャネル特性仮定は、優先順位を与えられ、次いで、一次セル内の第１のタイプの検索空間および第２のタイプの検索空間から、第１のタイプの検索空間のチャネル特性仮定が、優先的に、選択される。したがって、この場合、一次セル内のＣＳＳのチャネル特性仮定は、二次セルのＵＥ−ＳＳを受信するように準拠される必要がある。
【００５３】
本実施形態は、チャネル構成方法を提供する。本方法では、第２の通信ノードによって構成される、制御チャネルリソースセットの第２のチャネル特性仮定が、受信され、制御チャネルリソースセットは、第１のタイプの検索空間および／または第２のタイプの検索空間によって形成され、第２のチャネル特性仮定は、第２のタイプの検索空間における制御チャネルリソースの構成のために使用され、第２の通信ノードによって送信される、制御チャネルリソースは、第２のチャネル特性仮定に従って受信される。したがって、チャネルリソースのスケジューリングは、複数の制御チャネル、データチャネル、および基準信号間の協調が、行われ、それによって、複数の制御チャネル、データチャネル、および基準信号の同時スケジューリングを事実上達成し、システム性能を有意に改良するように、第２のチャネル特性仮定を提供することによって達成される。
【００５４】
実施形態２
図５を参照すると、図５は、本発明の実施形態２によって提供される、チャネル構成方法を図示する、フローチャートである。本方法は、以下のステップを含む。
【００５５】
Ｓ５０１では、制御チャネルリソースセットの第２のチャネル特性仮定が、構成され、第１の通信ノードに送信され、制御チャネルリソースセットは、第１のタイプの検索空間および／または第２のタイプの検索空間によって形成され、第２のチャネル特性仮定は、第２のタイプの検索空間における制御チャネルリソースの構成のために使用される。
【００５６】
Ｓ５０２では、制御チャネルリソースは、第１の通信ノードに送信される。
【００５７】
いくつかの実施形態では、第１のタイプの検索空間は、共通検索空間および／またはビーム回収検索空間を含む。
【００５８】
いくつかの実施形態では、第２のタイプの検索空間は、ユーザ特有の検索空間を含む。
【００５９】
いくつかの実施形態では、第２のチャネル特性仮定は、擬似コロケーション、空間擬似コロケーション、および伝送構成インジケーション状態のうちの少なくとも１つを含む。
【００６０】
いくつかの実施形態では、第１のタイプの検索空間および第２のタイプの検索空間が、第１のトリガ条件を満たす場合、以下のうちの少なくとも１つが、含まれる。第１のタイプの検索空間が、受信または監視される。第２のチャネル特性仮定が、第１のタイプの検索空間の第１のチャネル特性仮定によって決定される。第２のチャネル特性仮定が、第１のタイプの検索空間の第１のチャネル特性仮定と同一である。第２のチャネル特性仮定が、第１のタイプの検索空間における特定の検索空間インデックスを伴う検索空間の第１のチャネル特性仮定と同一である。第１のチャネル特性仮定および第２のチャネル特性仮定が、第１のタイプの検索空間における特定の検索空間インデックスを伴う検索空間の第１のチャネル特性仮定と同一である。第２のチャネル特性仮定および第１のチャネル特性仮定が、同一である場合、第２のタイプの検索空間が、受信または監視される。
【００６１】
いくつかの実施形態では、第１のタイプの検索空間および第２のタイプの検索空間が、第１のトリガ条件を満たす場合、第１のトリガ条件は、以下のうちの少なくとも１つを含む。第１のタイプの検索空間および第２のタイプの検索空間が、同一ＯＦＤＭシンボル内にある。第１のタイプの検索空間および第２のタイプの検索空間が、同一タイムスロット内にある。第１のタイプの検索空間および第２のタイプの検索空間が、同一リソースブロック内にある。第１のタイプの検索空間および第２のタイプの検索空間と関連付けられる監視窓が、相互に重複する。また、第１のタイプの検索空間および第２のタイプの検索空間が、同時に有効である。
【００６２】
いくつかの実施形態では、第１のタイプの検索空間および第２のタイプの検索空間は、同一制御チャネルリソースセットからのものである。
【００６３】
いくつかの実施形態では、以下が、さらに含まれる。プリセットインデックス下の最低インデックス、最高インデックス、または特定のインデックスのうちの１つの第１のタイプの検索空間が、受信または監視され、第２のチャネル特性仮定が、プリセットインデックス下の最低インデックス、最高インデックス、または特定のインデックスのうちの１つの第１のタイプのチャネル特性仮定によって決定され、第２のチャネル特性仮定が、プリセットインデックス下の最低インデックス、最高インデックス、または特定のインデックスのうちの１つの第１のチャネル特性仮定と同一であって、第２のチャネル特性仮定が、最低検索空間インデックスを有し、プリセットインデックス下の最低インデックス、最高インデックス、または特定のインデックスのうちの１つの第１のタイプの検索空間内にある、検索空間のチャネル特性仮定と同一である。
【００６４】
いくつかの実施形態では、プリセットインデックスは、キャリアインデックス、ＢＷＰインデックス、制御チャネルリソースセットインデックス、および制御チャネルリソースインデックスのうちの少なくとも１つを含む。
【００６５】
いくつかの実施形態では、第１のタイプの検索空間および第２のタイプの検索空間が、第２のトリガ条件を満たす場合、第２のタイプの検索空間を検出または受信するステップがさらに、含まれる。
【００６６】
いくつかの実施形態では、第１のタイプの検索空間および第２のタイプの検索空間が、第２のトリガ条件を満たす場合、第２のトリガ条件は、以下のうちの少なくとも１つを含む。第２のタイプの検索空間および第１のタイプの検索空間が、異なるＯＦＤＭシンボル内にある。第２のタイプの検索空間および第１のタイプの検索空間が、異なるタイムスロット内にある。第２のタイプの検索空間および第１のタイプの検索空間が、異なるリソースブロック内にある。第２のタイプの検索空間および第１のタイプの検索空間が、異なる瞬間内にある。また、第２のタイプの検索空間および第１のタイプの検索空間が、異なるキャリア内にある。
【００６７】
本実施形態は、制御チャネルリソースセットの第２のチャネル特性仮定を構成し、制御チャネルリソースセットの第２のチャネル特性仮定を第１の通信ノードに送信するステップと、次いで、制御チャネルリソースを第１の通信ノードに送信するステップとを含む、チャネル構成方法を提供する。したがって、チャネルリソースのスケジューリングは、複数の制御チャネル、データチャネル、および基準信号間の協調が、行われ、それによって、複数の制御チャネル、データチャネル、および基準信号の同時スケジューリングを事実上達成し、システム性能を有意に改良するように、第２のチャネル特性仮定を提供することによって達成される。
【００６８】
実施形態３
図６は、本発明の実施形態３によって提供される、チャネル構成方法を図示する、フローチャートである。本方法は、以下のステップを含む。
【００６９】
Ｓ６０１では、第２の通信ノードによって構成される、アップリンク制御チャネルリソースのチャネル特性仮定が、受信される。
【００７０】
Ｓ６０２では、アップリンク制御チャネルリソースと関連付けられるアップリンク制御チャネルが、アップリンク制御チャネルリソースのチャネル特性仮定に従って、第２の通信ノードに送信される。
【００７１】
いくつかの実施形態では、Ｎ個の異なるアップリンク制御チャネルリソースが、同時に送信される場合、Ｎ個のアップリンク制御チャネルリソースは、アップリンク制御チャネルリソースの以下のチャネル特性仮定、すなわち、最低、最高、または特定のアップリンク制御チャネルリソースインデックスのアップリンク制御チャネルリソースのチャネル特性仮定、最低または最高キャリアインデックスのキャリアまたは一次キャリア下のアップリンク制御チャネルリソースのチャネル特性仮定、最低または最高ＢＷＰインデックス下のＢＷＰまたはアクティブ化されたＢＷＰ下のアップリンク制御チャネルリソースのチャネル特性仮定、最低または最高キャリアインデックスのキャリアまたは一次キャリア下の最低または最高または特定のアップリンク制御チャネルリソースインデックスのアップリンク制御チャネルリソースのチャネル特性仮定、最低または最高ＢＷＰインデックス下のＢＷＰまたはアクティブ化されたＢＷＰ下の最低または最高または特定のアップリンク制御チャネルリソースインデックスのアップリンク制御チャネルリソースのチャネル特性仮定、最低または最高キャリアインデックスのキャリアまたは一次キャリアおよび／または最低または最高ＢＷＰインデックス下のＢＷＰまたはアクティブ化されたＢＷＰ下のアップリンク制御リソースのチャネル特性仮定、および最低または最高キャリアインデックスのキャリアまたは一次キャリアおよび／または最低または最高ＢＷＰインデックス下のＢＷＰまたはアクティブ化されたＢＷＰ下の最低または最高または特定のアップリンク制御リソースインデックスのアップリンク制御リソースのチャネル特性仮定のうちの少なくとも１つを通して伝送される。一次キャリアは、一次セル、すなわち、一次物理アップリンク制御チャネル（ＰＵＣＣＨ）グループ下の一次セルを示す。
【００７２】
いくつかの実施形態では、Ｎ個の異なるアップリンク制御チャネルリソースを同時に送信するステップは、以下、すなわち、同一直交周波数分割多重化（ＯＦＤＭ）シンボル、同一タイムスロット、同一リソースブロック、Ｎ個の異なるアップリンク制御チャネルリソースと関連付けられる重複監視窓、または全てが同時に有効であることのうちの少なくとも１つにおいて、Ｎ個の異なるアップリンク制御チャネルリソースを同時に送信するステップを含む。
【００７３】
いくつかの実施形態では、チャネル特性仮定は、空間関係情報または空間関係を含む。
【００７４】
いくつかの実施形態では、アップリンク基準信号、アップリンクデータチャネルおよびアップリンク制御チャネルが、共通検索空間によってスケジューリングされ、アップリンク基準信号、アップリンクデータチャネルまたはアップリンク制御チャネルのうちの少なくとも１つの優先順位は、ユーザ特有の検索空間によってスケジューリングされる、アップリンク基準信号、アップリンクデータチャネル、およびアップリンク制御チャネルの優先順位より高い。
【００７５】
いくつかの実施形態では、より低い優先順位を有する、アップリンク基準信号、アップリンクデータチャネル、およびアップリンク制御チャネルのチャネル特性仮説は、より高い優先順位を有する、アップリンク基準信号、アップリンクデータチャネル、またはアップリンク制御チャネルのうちの少なくとも１つに従って決定される、またはより低い優先順位を有する、基準信号またはチャネルは、送信されない。
【００７６】
本実施形態は、チャネル構成方法を提供する。本方法では、第２の通信ノードによって構成される、制御チャネルリソースセットのアップリンク制御チャネルリソースのチャネル特性仮定が、受信され、アップリンク制御チャネルリソースは、アップリンク制御チャネルリソースのチャネル特性仮定に従って、第２の通信ノードに送信される。したがって、チャネルリソースのスケジューリングは、複数の制御チャネル、データチャネル、および基準信号間の協調が、行われ、それによって、複数の制御チャネル、データチャネル、および基準信号の同時スケジューリングを事実上達成し、システム性能を有意に改良するように、アップリンク制御チャネルリソースのチャネル特性仮定を設定することによって達成される。
【００７７】
実施形態４
図７を参照すると、図７は、本発明の実施形態４によって提供される、チャネル構成方法を図示する、フローチャートである。本方法は、以下のステップを含む。
【００７８】
Ｓ７０１では、アップリンク制御チャネルリソースのチャネル特性仮定が、構成され、第１の通信ノードに送信される。
【００７９】
Ｓ７０２では、アップリンク制御チャネルリソースのチャネル特性仮定に従って第１の通信ノードによって送信される、アップリンク制御チャネルリソースと関連付けられるアップリンク制御チャネルが、受信される。
【００８０】
いくつかの実施形態では、異なるＮ個のアップリンク制御チャネルリソースが、同時に送信される場合、Ｎ個のアップリンク制御チャネルリソースは、アップリンク制御チャネルリソースの以下のチャネル特性仮定のうちの少なくとも１つを通して送信される。最低、最高、または特定のアップリンク制御チャネルリソースインデックスのアップリンク制御チャネルリソースのチャネル特性仮定、最低または最高キャリアインデックスのキャリアまたは一次キャリア下のアップリンク制御チャネルリソースのチャネル特性仮定、最低または最高ＢＷＰインデックス下のＢＷＰまたはアクティブ化されたＢＷＰ下のアップリンク制御チャネルリソースのチャネル特性仮定、最低または最高キャリアインデックスのキャリアまたは一次キャリア下の最低または最高または特定のアップリンク制御チャネルリソースインデックスのアップリンク制御チャネルリソースのチャネル特性仮定、および最低または最高ＢＷＰインデックス下のＢＷＰまたはアクティブ化されたＢＷＰ下の最低または最高または特定のアップリンク制御チャネルリソースインデックスのアップリンク制御チャネルリソースのチャネル特性仮定。
【００８１】
いくつかの実施形態では、Ｎ個の異なるアップリンク制御チャネルリソースを同時に送信するステップは、以下、すなわち、同一直交周波数分割多重化（ＯＦＤＭ）シンボル、同一タイムスロット、同一リソースブロック、Ｎ個の異なるアップリンク制御チャネルリソースと関連付けられる重複監視窓、または全てが同時に有効であることのうちの少なくとも１つにおいて、Ｎ個の異なるアップリンク制御チャネルリソースを同時に送信するステップを含む。
【００８２】
いくつかの実施形態では、チャネル特性仮定は、空間関係情報または空間関係を含む。
【００８３】
いくつかの実施形態では、アップリンク基準信号、アップリンクデータチャネルおよびアップリンク制御チャネルが、共通検索空間によってスケジューリングされる、アップリンク基準信号、アップリンクデータチャネルまたはアップリンク制御チャネルのうちの少なくとも１つの優先順位は、ユーザ特有の検索空間によってスケジューリングされる、アップリンク基準信号、アップリンクデータチャネル、およびアップリンク制御チャネルの優先順位より高い。
【００８４】
いくつかの実施形態では、より低い優先順位を有する、アップリンク基準信号、アップリンクデータチャネル、およびアップリンク制御チャネルのチャネル特性仮説は、より高い優先順位を有する、アップリンク基準信号、アップリンクデータチャネル、またはアップリンク制御チャネルのうちの少なくとも１つに従って決定される。
【００８５】
本実施形態は、アップリンク制御チャネルリソースのチャネル特性仮定を構成し、アップリンク制御チャネルリソースのチャネル特性仮定を第１の通信ノードに送信するステップと、アップリンク制御チャネルリソースのチャネル特性仮定に従って第１の通信ノードによって送信される、アップリンク制御チャネルリソースを受信するステップとを含む、チャネル構成方法を提供する。したがって、チャネルリソースのスケジューリングは、複数の制御チャネル、データチャネル、および基準信号間の協調が、行われ、それによって、複数の制御チャネル、データチャネル、および基準信号の同時スケジューリングを事実上達成し、システム性能を有意に改良するように、アップリンク制御チャネルリソースのチャネル特性仮定を提供することによって達成される。
【００８６】
実施形態５
図８を参照すると、図８は、本発明の実施形態５によって提供される、電力制御方法を図示する、フローチャートである。本方法は、以下のステップを含む。
【００８７】
Ｓ８０１では、第２の通信ノードによって送信される、第１のタイプの媒体アクセス制御−制御要素（ＭＡＣ−ＣＥ）シグナリングが、受信される。
【００８８】
Ｓ８０２では、ＰＵＳＣＨの電力制御パラメータが、第１のタイプのＭＡＣ−ＣＥシグナリングに従って決定される。
【００８９】
いくつかの実施形態では、第１のタイプのＭＡＣ−ＣＥシグナリングは、半持続的チャネルサウンディング基準信号（ＳＲＳ）をアクティブ化またはアクティブ化解除する、または関連付けられるＳＲＳの空間関係を構成するために使用され、ＳＲＳは、非コードブックモードまたはコードブックモードにおいて使用される。
【００９０】
いくつかの実施形態では、ＰＵＳＣＨの電力制御パラメータを決定するステップは、以下、すなわち、第１のタイプのＭＡＣ−ＣＥシグナリングに従って、ＰＵＳＣＨの開ループ電力制御パラメータを決定するステップ、第１のタイプのＭＡＣ−ＣＥシグナリングに従って、ＰＵＳＣＨの経路損失（ＰＬ）基準信号を決定するステップ、第１のタイプのＭＡＣ−ＣＥシグナリングに従って、ＰＵＳＣＨの閉ループ電力制御インデックスを決定するステップ、およびＰＵＳＣＨの閉ループ電力制御値をリセットするステップのうちの少なくとも１つを含む。
【００９１】
いくつかの実施形態では、開ループ電力制御パラメータは、アルファおよび標的電力ｐ０を含む。
【００９２】
いくつかの実施形態では、第１のタイプのＭＡＣ−ＣＥシグナリングは、以下、すなわち、ダウンリンク制御情報（ＤＣＩ）内で、チャネルサウンディング基準信号リソースインジケータ（ＳＲＩ）コード値と関連付けられる開ループ電力制御パラメータセット内の要素インデックスを搬送する、またはＤＣＩ内で、ＳＲＩフィールドと関連付けられる開ループ電力制御パラメータ値を搬送する、第１のタイプのＭＡＣ−ＣＥシグナリング、ＤＣＩ内で、ＳＲＩコード値と関連付けられるＰＬ基準信号のセット内の要素インデックスを搬送する、またはＤＣＩ内で、ＳＲＩフィールドと関連付けられるＰＬ基準信号インデックスを搬送する、第１のタイプのＭＡＣ−ＣＥシグナリング、および、ＤＣＩ内で、ＳＲＩコード値と関連付けられる閉ループ電力制御インデックスを搬送する、第１のタイプのＭＡＣ−ＣＥシグナリングのうちの少なくとも１つを含む。
【００９３】
いくつかの実施形態では、以下、すなわち、開ループ電力制御パラメータセット内の無線リソース制御（ＲＲＣ）によって構成されるＤＣＩ内のＳＲＩコード値と関連付けられる要素インデックスによって、ＰＵＳＣＨの開ループ電力制御パラメータを決定するステップと、ＤＣＩ内のＳＲＩと関連付けられる半持続的ＳＲＳの空間パラメータと関連付けられるダウンリンク基準信号によって、ＰＵＳＣＨのＰＬ基準信号を決定するステップと、ＲＲＣによって構成されるＤＣＩ内のＳＲＩコード値と関連付けられる閉ループ電力制御インデックスによって、ＰＵＳＣＨの開ループ電力制御パラメータを決定するステップとが、さらに含まれる。
【００９４】
いくつかの実施形態では、以下、すなわち、ＲＲＣシグナリングによって、開ループ電力制御パラメータセットを構成するステップと、ＲＲＣシグナリングによってＰＬの基準信号セットを構成するステップとがさらに含まれる。
【００９５】
実施形態６
図９を参照すると、図９は、本発明の実施形態６によって提供される、チャネル電力制御方法を図示する、フローチャートである。本方法は、以下のステップを含む。
【００９６】
Ｓ９０１では、第１のタイプのＭＡＣ−ＣＥシグナリングが、生成され、第１のタイプのＭＡＣ−ＣＥシグナリングは、ＰＵＳＣＨの電力制御パラメータを決定するために使用される。
【００９７】
Ｓ９０２では、第１のタイプのＭＡＣ−ＣＥシグナリングが、第１の通信ノードに送信される。
【００９８】
いくつかの実施形態では、第１のタイプのＭＡＣ−ＣＥシグナリングは、半持続的チャネルサウンディング基準信号（ＳＲＳ）をアクティブ化またはアクティブ化解除する、または関連付けられるＳＲＳの空間関係を構成するために使用され、ＳＲＳは、非コードブックモードまたはコードブックモードにおいて使用される。
【００９９】
いくつかの実施形態では、ＰＵＳＣＨの電力制御パラメータを決定するステップは、以下、すなわち、第１のタイプのＭＡＣ−ＣＥシグナリングに従って、ＰＵＳＣＨの開ループ電力制御パラメータを決定するステップ、第１のタイプのＭＡＣ−ＣＥシグナリングに従って、ＰＵＳＣＨの経路損失（ＰＬ）基準信号を決定するステップ、第１のタイプのＭＡＣ−ＣＥシグナリングに従って、ＰＵＳＣＨの閉ループ電力制御インデックスを決定するステップ、およびＰＵＳＣＨの閉ループ電力制御値をリセットするステップのうちの少なくとも１つを含む。
【０１００】
いくつかの実施形態では、開ループ電力制御パラメータは、アルファおよび標的電力ｐ０を含む。
【０１０１】
いくつかの実施形態では、第１のタイプのＭＡＣ−ＣＥシグナリングは、以下、すなわち、ＤＣＩ内で、ＳＲＩコード値と関連付けられる開ループ電力制御パラメータセット内の要素インデックスを搬送する、またはＤＣＩ内で、ＳＲＩフィールドと関連付けられる開ループ電力制御パラメータ値を搬送する、第１のタイプのＭＡＣ−ＣＥシグナリング、ＤＣＩ内で、ＳＲＩコード値と関連付けられるＰＬ基準信号のセット内の要素インデックスを搬送する、またはＤＣＩ内で、ＳＲＩフィールドと関連付けられるＰＬ基準信号インデックスを搬送する、第１のタイプのＭＡＣ−ＣＥシグナリング、およびＤＣＩ内で、ＳＲＩコード値と関連付けられる閉ループ電力制御インデックスを搬送する、第１のタイプのＭＡＣ−ＣＥシグナリングのうちの少なくとも１つを含む。
【０１０２】
いくつかの実施形態では、以下、すなわち、開ループ電力制御パラメータセット内のＲＲＣによって構成されるＤＣＩ内のＳＲＩコード値と関連付けられる要素インデックスによって、ＰＵＳＣＨの開ループ電力制御パラメータを決定するステップと、ＤＣＩ内のＳＲＩと関連付けられる半持続的ＳＲＳの空間パラメータと関連付けられるダウンリンク基準信号によって、ＰＵＳＣＨのＰＬ基準信号を決定するステップと、ＲＲＣによって構成されるＤＣＩ内のＳＲＩコード値と関連付けられる閉ループ電力制御インデックスによって、ＰＵＳＣＨの開ループ電力制御パラメータを決定するステップとが、さらに含まれる。
【０１０３】
実施形態７
本発明の実施形態７は、第１のタイプの検索空間および第２のタイプの検索空間が、第１のトリガ条件を満たす場合に適用可能である、チャネル構成方法を提供し、詳細は、以下のように説明される。
【０１０４】
第１のタイプの検索空間および第２のタイプの検索空間が、同一ＯＦＤＭシンボル内、または同一タイムスロット内、または同一ＲＢ内にある、または第１のタイプの検索空間および第２のタイプの検索空間と関連付けられる監視窓が、相互に重複する、または第１のタイプの検索空間および第２のタイプの検索空間が、同時に有効である、すなわち、第１のタイプの検索空間および第２のタイプの検索空間が、第１のトリガ条件を満たす場合において、第１のタイプの検索空間のチャネル特性仮定および第２のタイプの検索空間のチャネル特性仮定が、異なる場合、基地局は、送信するために、異なる送信ビームを使用する必要があり、同時に、ＵＥ端は、受信するために、異なる受信ビームを使用する必要があることを意味する。しかしながら、基地局端は、１つのビームの同時送信のみをサポートすることができる、またはＵＥは、１つのビームの同時受信のみをサポートすることができるため、監視要件と能力との間に競合が存在する。したがって、異なる検索空間のチャネル特性仮説を修正することが必要である。随意に、以下のうちの少なくとも１つまたはその組み合わせが、実施される。代替として、＃１第１の検索空間のタイプが、受信または監視される。代替として、＃２第２のタイプの検索空間の第２のチャネル特性仮定が、第１のタイプの検索空間の第１のチャネル特性仮定によって決定される。代替として、＃３第２のタイプの検索空間の第２のチャネル特性仮定が、第１のタイプの検索空間の第１のチャネル特性仮定と同一である。代替として、＃４第２のタイプの検索空間の第２のチャネル特性仮定が、第１のタイプの検索空間における最低、最高、または特定の検索空間インデックスを伴う検索空間の第１のチャネル特性仮定と同一である。代替として、＃５第１のタイプの検索空間および第２のタイプの検索空間のチャネル特性仮説、すなわち、第１のチャネル特性仮定および第２のチャネル特性仮定が、第１のタイプの検索空間における最低、最高、および特定の検索空間インデックスを伴う検索空間の第１のチャネル特性仮定と同一である。代替として、＃６第２のタイプの検索空間の第２のチャネル特性仮定および第１のタイプの検索空間の第１のチャネル特性仮定が、同一である場合、第２のタイプの検索空間が、受信または監視される。
【０１０５】
上記のソリューションは、第１のタイプの検索空間および第２のタイプの検索空間が、同一制御チャネルリソースセットからのものである場合に適用可能である。異なる制御リソースセット、異なるキャリア、異なるＢＷＰ下の第１のタイプの検索空間および第２のタイプの検索空間のチャネル特性仮説の不一致は、無視されることができる。代替として、異なる制御リソースセット、異なるキャリア、および異なるＢＷＰ下の第１のタイプの検索空間と第２のタイプの検索空間との間のチャネル特性仮説の非同時検出は、第１の通信ノードによって実施されることができる。
【０１０６】
実施形態８
本発明の実施形態８は、チャネル構成方法を提供し、詳細は、以下のように説明される。
【０１０７】
単一キャリアまたは単一帯域幅部分（ＢＷＰ）の場合に加え、これはさらに、キャリア集約またはマルチＢＷＰ動作の場合に拡張される。第１のタイプの検索空間および第２のタイプの検索空間は、異なるＢＷＰまたは異なるキャリアから生じてもよい。第１のタイプの検索空間および第２のタイプの検索空間が、同一ＯＦＤＭシンボル内、または同一スロット内、または同一ＲＢ内にある、または第１のタイプの検索空間および第２のタイプの検索空間と関連付けられる監視窓が、相互に重複する、または同時に有効である場合、すなわち、第１のタイプの検索空間および第２のタイプの検索空間が、第１のトリガ条件を満たす場合、以下の内容が、含まれてもよい。＃１第１のタイプの検索空間が、受信または監視される。代替として、＃２プリセットインデックス下の最低、最高、または特定のインデックスのうちの１つを伴う第１のタイプの検索空間が、受信または監視される。代替として、＃３第２のタイプの検索空間の第２のチャネル特性仮定が、プリセットインデックス下の最低インデックス、最高インデックス、または特定のインデックスのうちの１つを伴う第１のタイプの検索空間の第１のチャネル特性仮定によって決定される。代替として、＃４第２のタイプの検索空間の第２のチャネル特性仮定が、プリセットインデックス下の最低、最高、または特定のインデックスのうちの１つの第１のタイプの検索空間の第１のチャネル特性仮定と同一であるはずである。代替として、＃５第２のタイプの検索空間の第２のチャネル特性仮定が、プリセットインデックス下の最低、最高、または特定のインデックスを伴う第１のタイプの検索空間における最低検索空間インデックスを伴う検索空間の第１のチャネル特性仮定と同一であるはずである。代替として、＃６第１のタイプの検索空間および第２のタイプの検索空間のチャネル特性仮定がまた、相互に影響を及ぼし得ない。
【０１０８】
プリセットインデックスは、キャリアインデックス、ＢＷＰインデックス、制御チャネルリソースセットインデックス、または制御チャネルリソースインデックスのうちの１つまたはそれらの組み合わせから形成される。
【０１０９】
随意に、本実施形態で言及される同時有効性は、同時に有効になることを指し、異なるキャリアインターバルおよび異なる数秘術下の時間ドメインが部分的に重複する場合を含む。
【０１１０】
加えて、本実施形態では、ＵＥ端はまた、行動規範に準拠するように規定されることができる、すなわち、第２のタイプの検索空間および第１のタイプの検索空間が、ＯＦＤＭシンボル、スロット、ＲＢ、またはキャリア内で衝突するとき、第２のタイプの検索空間が、検出または受信されない、または第１のタイプの検索空間が、監視されない、またはその関連付けられる監視窓内にないとき、第２のタイプの検索空間は、監視される。しかしながら、第２のタイプの検索空間および第１のタイプの検索空間が、異なるＯＦＤＭシンボル内、または異なるスロット内、または異なるＲＢ内にある、または異なる瞬間にある、または異なるキャリア内にある場合、すなわち、第１のタイプの検索空間および第２のタイプの検索空間が、第２のトリガ条件を満たす場合、第２のタイプの検索空間が、検出または受信される。
【０１１１】
随意に、第１のタイプの検索空間は、監視状態にある、またはその関連付けられる監視窓内にある。
【０１１２】
随意に、第１のタイプの検索空間が、ビーム回収検索空間である場合、監視窓は、第１の通信ノードがＰＲＡＣＨを伝送した瞬間＋オフセット時間から開始し、第１の通信ノードがダウンリンク制御チャネルのためのチャネル特性仮定再構成を受信した瞬間までとなる。
【０１１３】
実施形態９
本発明の実施形態９は、ＰＵＣＣＨ条件下でチャネル構成に適用される、チャネル構成方法を提供し、詳細は、以下のように説明される。
【０１１４】
アップリンク制御チャネルに関して、基地局端によってＵＥ端のためのチャネル特性仮定を構成する方法は、具体的には、第２の通信ノードによって構成されるアップリンク制御チャネルリソースのチャネル特性仮定を受信するステップと、アップリンク制御チャネルリソースのチャネル特性仮定に従って、アップリンク制御チャネルリソースを第２の通信ノードに送信するステップとを含む。
【０１１５】
随意に、異なるＮ個のアップリンク制御チャネルリソースが、同時に送信される場合、Ｎ個のアップリンク制御チャネルリソースは、チャネル特性仮定の以下の設定様式、すなわち、＃１最低、最高、または特定のアップリンク制御チャネルリソースインデックスのアップリンク制御チャネルリソースのチャネル特性仮定、＃２最低または最高キャリアインデックスのキャリアまたは一次キャリア下のアップリンク制御チャネルリソースのチャネル特性仮定、＃３最低または最高ＢＷＰインデックス下のＢＷＰまたはアクティブ化されたＢＷＰ下のアップリンク制御チャネルリソースのチャネル特性仮定、＃４最低または最高キャリアインデックスのキャリアまたは一次キャリア下の最低または最高または特定のアップリンク制御チャネルリソースインデックスのアップリンク制御チャネルリソースのチャネル特性仮定、＃５最低または最高ＢＷＰインデックス下のＢＷＰまたはアクティブ化されたＢＷＰ下の最低または最高または特定のアップリンク制御チャネルリソースインデックスのアップリンク制御チャネルリソースのチャネル特性仮定、＃６最低または最高キャリアインデックスのキャリアまたは一次キャリアおよび／または最低または最高ＢＷＰインデックス下のＢＷＰまたはアクティブ化されたＢＷＰ下のアップリンク制御チャネルリソースのチャネル特性仮定、および＃７最低または最高キャリアインデックスのキャリアまたは一次キャリアおよび／または最低または最高ＢＷＰインデックス下のＢＷＰまたはアクティブ化されたＢＷＰ下の最低または最高または特定のアップリンク制御チャネルリソースインデックスのアップリンク制御チャネルリソースのチャネル特性仮定のうちの少なくとも１つに準拠する。
【０１１６】
特定のインデックスは、アップリンク制御チャネルリソースインデックスが、０または１２７である場合等、所定の特定のインデックス番号のインデックスを指す。
【０１１７】
一次キャリアは、一次セル、すなわち、一次ＰＵＣＣＨグループ下の一次セルとも称される。
【０１１８】
随意に、Ｎ個の異なるアップリンク制御チャネルリソースを同時に送信するステップは、具体的には、以下、すなわち、同一直交周波数分割多重化（ＯＦＤＭ）シンボル、同一タイムスロット、同一リソースブロック、Ｎ個の異なるアップリンク制御チャネルリソースと関連付けられる重複監視窓、または全てが同時に有効であることのうちの少なくとも１つにおいて、Ｎ個の異なるアップリンク制御チャネルリソースを同時に送信するステップを含む。
【０１１９】
チャネル特性仮定は、空間関係情報または空間関係を含んでもよい。
【０１２０】
随意に、アップリンク基準信号、アップリンクデータチャネルおよびアップリンク制御チャネルが、共通検索空間によってスケジューリングされる、アップリンク基準信号、アップリンクデータチャネルまたはアップリンク制御チャネルのうちの少なくとも１つの優先順位は、ユーザ特有の検索空間によってスケジューリングされる、アップリンク基準信号、アップリンクデータチャネル、およびアップリンク制御チャネルの優先順位より高い。
【０１２１】
随意に、同一ＲＢ、同一ＯＦＤＭシンボル、同一タイムスロット、同一ＢＷＰ、または同一キャリアのうちの少なくとも１つ内で同時に送信する際、より低い優先順位を有する、基準信号またはチャネルのチャネル特性仮定は、より高い優先順位を有する、基準信号またはチャネルに従って決定されることができる、またはより低い優先順位を有する、基準信号またはチャネルは、送信されない。
【０１２２】
図１０は、本願に関連する、ＰＤＣＣＨチャネル特性仮定の有効ルールを図示する、概略図である。ＵＥが、一次ＰＵＣＣＨグループおよび二次ＰＵＣＣＨグループとともに構成される場合、瞬間ｎ＋１では、一次ＰＵＣＣＨグループ下のＰＵＣＣＨリソースＰＵＣＣＨ−Ｐ２が、二次ＰＵＣＣＨグループ下のＰＵＣＣＨ−Ｓ２と衝突し、一次ＰＵＣＣＨグループの空間関係情報が、優先的に、準拠される。このように、比較的にフレキシブルなＰＵＣＣＨリソーススケジューリングが、ＵＥおよび基地局の能力を考慮しながら、規定された優先順位および準拠方法を使用することによって、達成されることができる。
【０１２３】
実施形態１０
本発明の実施形態１０は、チャネル電力制御方法を提供する。
【０１２４】
ＵＥ端に適用される、アップリンク共有チャネル（ＰＵＳＣＨ）の電力制御を決定するための方法は、基地局端からＵＥ端に送信される、第１のタイプのＭＡＣ−ＣＥシグナリングを受信するステップと、第１のタイプのＭＡＣ−ＣＥシグナリングに従って、ＰＵＳＣＨの電力制御パラメータを決定するステップとを含む。
【０１２５】
決定する方法は、以下、すなわち、＃１第１のタイプのＭＡＣ−ＣＥシグナリングによって、ＰＵＳＣＨの開ループ電力制御パラメータを決定するステップ、＃２第１のタイプのＭＡＣ−ＣＥシグナリングによって、ＰＵＳＣＨのＰＬ基準信号を決定するステップ、＃３第１のタイプのＭＡＣ−ＣＥシグナリングによって、ＰＵＳＣＨの閉ループ電力制御インデックスを決定するステップ、および＃４ＰＵＳＣＨの閉ループ電力制御値をリセットするステップのうちの少なくとも１つを含む。
【０１２６】
開ループ電力制御パラメータは、アルファおよび標的電力ｐ０から形成されることができる。
【０１２７】
しかしながら、ＰＵＳＣＨ伝送と関連付けられる半持続的ＳＲＳが、ＭＡＣ−ＣＥシグナリングを通してアクティブ化され、ＳＲＳの空間関係情報を搬送することができる。さらに、第１のタイプのＭＡＣ−ＣＥシグナリングは、半持続的ＳＲＳをアクティブ化またはアクティブ化解除する、または関連付けられるＳＲＳの空間関係を構成するために使用される、すなわち、第１のＭＡＣ−ＣＥシグナリングは、アクティブ化された半持続的ＳＲＳと同一シグナリングである。
【０１２８】
さらに、ＳＲＳは、非コードブックモードまたはコードブックモードにおいて使用される。具体的には、非コードブックモードおよびコードブックモードは、ＰＵＳＣＨのための伝送モードである。
【０１２９】
さらに、ＳＲＳのＭＡＣ−ＣＥアクティブ化シグナリングが、受信され、ＳＲＳが、非コードブックモードまたはコードブックモードにおいて使用される場合、ＰＵＳＣＨと関連付けられる閉ループ電力制御値は、リセットされる必要がある（ＰＵＳＣＨが、累積モードにおいて閉ループ電力制御を使用する場合）。
【０１３０】
具体的には、第１のタイプのＭＡＣ−ＣＥシグナリングは、ＤＣＩ内で、開ループ電力制御パラメータセット内の要素インデックスとＳＲＩコード値との間の関連付けを示す、または第１のタイプのＭＡＣ−ＣＥシグナリングは、ＤＣＩ内で、ＳＲＩフィールドと関連付けられる開ループ電力制御パラメータ値を搬送する。または、第１のタイプのＭＡＣ−ＣＥシグナリングは、ＤＣＩ内で、ＰＬ基準信号のセット内の要素インデックスとＳＲＩコード値との間の関連付けを示す、または、第１のタイプのＭＡＣ−ＣＥシグナリングは、ＤＣＩ内で、ＳＲＩフィールドと関連付けられるＰＬ基準信号インデックスを搬送する。または、第１のタイプのＭＡＣ−ＣＥシグナリングは、ＤＣＩ内で、ＳＲＩコード値と関連付けられる閉ループ電力制御インデックスを搬送する。
【０１３１】
加えて、以下の方法もまた、関連付けられるＰＵＳＣＨのアップリンク伝送電力を制御するために使用されることができる、すなわち、＃１第１のタイプのＭＡＣ−ＣＥシグナリングはさらに、ＲＲＣによって構成されるＤＣＩ内のＳＲＩコード値と関連付けられる開ループ電力制御パラメータセット内の要素インデックスによって、ＰＵＳＣＨの開ループ電力制御パラメータを決定するステップ、または＃２ＤＣＩ内のＳＲＩと関連付けられる半持続的ＳＲＳの空間パラメータと関連付けられるダウンリンク基準信号によって、ＰＵＳＣＨのＰＬ基準信号を決定するステップ、または＃３ＲＲＣによって構成されるＤＣＩ内のＳＲＩコード値と関連付けられる閉ループ電力制御インデックスによって、ＰＵＳＣＨの開ループ電力制御パラメータを決定するステップを含む。
【０１３２】
図１１は、本願に関連する、ＭＡＣ−ＣＥによって構成される電力制御パラメータのシグナリングフォーマットを図示する、概略図である。明示的形態では、ＭＡＣ−ＣＥは、対応するＤＣＩ内のＳＲＩ値内に電力制御パラメータ、すなわち、標的電力Ｐ０およびアルファの値、基準信号インデックス、および閉ループ電力制御インデックスを構成する。１つのみのＳＲＳが存在する場合、ＳＲＩは、ＤＣＩによって明示的に搬送されず、対応する前述のパラメータがまた、デフォルトによって示されるＳＲＩ＝０のために構成される必要がある。
【０１３３】
図１２は、本願に関連する、電力制御パラメータを構成するＭＡＣ−ＣＥのシグナリングフォーマットを図示する、別の概略図である。ＲＲＣシグナリングでは、アップリンク電力制御のためのパラメータリソースセットが、構成されている。この場合、ＭＡＣ−ＣＥシグナリングは、電力制御パラメータの構成を実装するためのパラメータリソースセット内の対応する要素を示す。具体的には、対応するＰ０およびアルファセットインデックス（すなわち、開ループ電力制御パラメータセット、ＲＲＣは、複数の開ループ電力制御パラメータセットを搬送するセットを構成する）、ＰＬ基準信号リソースインデックス、および閉ループ電力制御インデックスが、ＳＲＩ毎に構成される。
【０１３４】
要するに、構成される、または所定のチャネル構成方法またはチャネル電力制御方法に従って、複数の制御チャネル、データチャネル、および基準信号間の協調が、行われ、基地局およびユーザ端のサポート能力を確実にすることを前提として、複数の制御チャネル、データチャネル、および基準信号の同時スケジューリングを事実上達成し、それによって、システム性能を有意に改良する。
【０１３５】
実施形態１１
図１３を参照すると、図１３は、本実施形態によって提供される、チャネル構成デバイスの構成物を図示する、概略図である。本デバイスは、第２の通信ノードによって構成される、制御チャネルリソースセットの第２のチャネル特性仮定を受信するように構成される、第１の特性受信モジュール１３１であって、制御チャネルリソースセットは、第１のタイプの検索空間および／または第２のタイプの検索空間によって形成され、第２のチャネル特性仮定は、第２のタイプの検索空間における制御チャネルリソースの構成のために使用される、第１の特性受信モジュール１３１と、第２のチャネル特性仮定に従って第２の通信ノードによって送信される、制御チャネルリソースを受信するように構成される、第１のリソース受信モジュール１３２とを含む。
【０１３６】
いくつかの実施形態では、第１のタイプの検索空間は、共通検索空間および／またはビーム回収検索空間を含む。
【０１３７】
いくつかの実施形態では、第２のタイプの検索空間は、ユーザ特有の検索空間を含む。
【０１３８】
いくつかの実施形態では、第２のチャネル特性仮定は、擬似コロケーション、空間擬似コロケーション、および伝送構成インジケーション状態のうちの少なくとも１つを含む。
【０１３９】
いくつかの実施形態では、第１のタイプの検索空間および第２のタイプの検索空間が、第１のトリガ条件を満たす場合、以下のうちの少なくとも１つが、含まれる。第１のタイプの検索空間が、受信または監視される。第２のチャネル特性仮定が、第１のタイプの検索空間の第１のチャネル特性仮定によって決定される。第２のチャネル特性仮定が、第１のタイプの検索空間の第１のチャネル特性仮定と同一である。第２のチャネル特性仮定が、第１のタイプの検索空間における特定の検索空間インデックスを伴う検索空間の第１のチャネル特性仮定と同一である。第１のチャネル特性仮定および第２のチャネル特性仮定が、第１のタイプの検索空間における特定の検索空間インデックスを伴う検索空間の第１のチャネル特性仮定と同一である。第２のチャネル特性仮定および第１のチャネル特性仮定が、同一である場合、第２のタイプの検索空間が、受信または監視される。
【０１４０】
いくつかの実施形態では、第１のタイプの検索空間および第２のタイプの検索空間が、第１のトリガ条件を満たす場合、第１のトリガ条件は、以下のうちの少なくとも１つを含む。第１のタイプの検索空間および第２のタイプの検索空間が、同一ＯＦＤＭシンボル内にある。第１のタイプの検索空間および第２のタイプの検索空間が、同一タイムスロット内にある。第１のタイプの検索空間および第２のタイプの検索空間が、同一リソースブロック内にある。第１のタイプの検索空間および第２のタイプの検索空間と関連付けられる監視窓が、相互に重複する。また、第１のタイプの検索空間および第２のタイプの検索空間が、同時に有効である。
【０１４１】
いくつかの実施形態では、第１のタイプの検索空間および第２のタイプの検索空間が、同一制御チャネルリソースセットからのものである。
【０１４２】
いくつかの実施形態では、以下が、さらに含まれる。プリセットインデックス下の最低インデックス、最高インデックス、または特定のインデックスのうちの１つの第１のタイプの検索空間が、受信または監視され、第２のチャネル特性仮定が、プリセットインデックス下の最低インデックス、最高インデックス、または特定のインデックスのうちの１つの第１のタイプのチャネル特性仮定によって決定され、第２のチャネル特性仮定が、プリセットインデックス下の最低インデックス、最高インデックス、または特定のインデックスのうちの１つの第１のチャネル特性仮定と同一であって、第２のチャネル特性仮定が、最低検索空間インデックスを有し、プリセットインデックス下の最低インデックス、最高インデックス、または特定のインデックスの第１のタイプの検索空間内にある、検索空間のチャネル特性仮定と同一である。
【０１４３】
いくつかの実施形態では、プリセットインデックスは、キャリアインデックス、ＢＷＰインデックス、制御チャネルリソースセットインデックス、または制御チャネルリソースインデックスのうちの少なくとも１つを含む。
【０１４４】
いくつかの実施形態では、第１のタイプの検索空間および第２のタイプの検索空間が、第２のトリガ条件を満たす場合、第２のタイプの検索空間を検出または受信するステップがさらに、含まれる。
【０１４５】
いくつかの実施形態では、第１のタイプの検索空間および第２のタイプの検索空間が、第２のトリガ条件を満たす場合、第２のトリガ条件は、以下の内容のうちの１つを含む。第２のタイプの検索空間および第１のタイプの検索空間が、異なるＯＦＤＭシンボル内にある。第２のタイプの検索空間および第１のタイプの検索空間が、異なるタイムスロット内にある。第２のタイプの検索空間および第１のタイプの検索空間が、異なるリソースブロック内にある。第２のタイプの検索空間および第１のタイプの検索空間が、異なる瞬間内にある。また、第２のタイプの検索空間および第１のタイプの検索空間が、異なるキャリア内にある。
【０１４６】
実施形態１２
図１４を参照すると、図１４は、本実施形態によって提供される、チャネル構成デバイスの構成物を図示する、概略図である。本デバイスは、制御チャネルリソースセットの第２のチャネル特性仮定を構成し、制御チャネルリソースセットの第２のチャネル特性仮定を送信するように構成される、第１の特性送信モジュール１４１であって、制御チャネルリソースセットは、第１のタイプの検索空間および／または第２のタイプの検索空間によって形成され、第２のチャネル特性仮定は、第２のタイプの検索空間における制御チャネルリソースの構成のために使用される、第１の特性送信モジュール１４１と、制御チャネルリソースを第１の通信ノードに伝送するように構成される、第１のリソース送信モジュール１４２とを含む。
【０１４７】
いくつかの実施形態では、第１のタイプの検索空間は、共通検索空間および／またはビーム回収検索空間を含む。
【０１４８】
いくつかの実施形態では、第２のタイプの検索空間は、ユーザ特有の検索空間を含む。
【０１４９】
いくつかの実施形態では、第２のチャネル特性仮定は、擬似コロケーション、空間擬似コロケーション、および伝送構成インジケーション状態のうちの少なくとも１つを含む。
【０１５０】
いくつかの実施形態では、第１のタイプの検索空間および第２のタイプの検索空間が、第１のトリガ条件を満たす場合、以下のうちの少なくとも１つが、含まれる。第１のタイプの検索空間が、受信または監視される。第２のチャネル特性仮定が、第１のタイプの検索空間の第１のチャネル特性仮定によって決定される。第２のチャネル特性仮定が、第１のタイプの検索空間の第１のチャネル特性仮定と同一である。第２のチャネル特性仮定が、第１のタイプの検索空間における特定の検索空間インデックスを伴う検索空間の第１のチャネル特性仮定と同一である。第１のチャネル特性仮定および第２のチャネル特性仮定が、第１のタイプの検索空間における特定の検索空間インデックスを伴う検索空間の第１のチャネル特性仮定と同一である。第２のチャネル特性仮定および第１のチャネル特性仮定が、同一である場合、第２のタイプの検索空間が、受信または監視される。
【０１５１】
いくつかの実施形態では、第１のタイプの検索空間および第２のタイプの検索空間が、第１のトリガ条件を満たす場合、第１のトリガ条件は、以下のうちの少なくとも１つを含む。第１のタイプの検索空間および第２のタイプの検索空間が、同一ＯＦＤＭシンボル内にある。第１のタイプの検索空間および第２のタイプの検索空間が、同一タイムスロット内にある。第１のタイプの検索空間および第２のタイプの検索空間が、同一リソースブロック内にある。第１のタイプの検索空間および第２のタイプの検索空間と関連付けられる監視窓が、相互に重複する。また、第１のタイプの検索空間および第２のタイプの検索空間が、同時に有効である。
【０１５２】
いくつかの実施形態では、第１のタイプの検索空間および第２のタイプの検索空間が、同一制御チャネルリソースセットからのものである。
【０１５３】
いくつかの実施形態では、以下が、さらに含まれる。プリセットインデックス下の最低インデックス、最高インデックス、または特定のインデックスのうちの１つの第１のタイプの検索空間が、受信または監視され、第２のチャネル特性仮定が、プリセットインデックス下の最低インデックス、最高インデックス、または特定のインデックスのうちの１つの第１のタイプのチャネル特性仮定によって決定され、第２のチャネル特性仮定が、プリセットインデックス下の最低インデックス、最高インデックス、または特定のインデックスのうちの１つの第１のチャネル特性仮定と同一であって、第２のチャネル特性仮定が、最低検索空間インデックスを有し、プリセットインデックス下の最低インデックス、最高インデックス、または特定のインデックスの第１のタイプの検索空間内にある、検索空間のチャネル特性仮定と同一である。
【０１５４】
いくつかの実施形態では、プリセットインデックスは、キャリアインデックス、ＢＷＰインデックス、制御チャネルリソースセットインデックス、および制御チャネルリソースインデックスのうちの少なくとも１つを含む。
【０１５５】
いくつかの実施形態では、第１のタイプの検索空間および第２のタイプの検索空間が、第２のトリガ条件を満たす場合、第２のタイプの検索空間を検出または受信するステップがさらに、含まれる。
【０１５６】
いくつかの実施形態では、第１のタイプの検索空間および第２のタイプの検索空間が、第２のトリガ条件を満たす場合、第２のトリガ条件は、以下のうちの少なくとも１つを含む。第２のタイプの検索空間および第１のタイプの検索空間が、異なるＯＦＤＭシンボル内にある。第２のタイプの検索空間および第１のタイプの検索空間が、異なるタイムスロット内にある。第２のタイプの検索空間および第１のタイプの検索空間が、異なるリソースブロック内にある。第２のタイプの検索空間および第１のタイプの検索空間が、異なる瞬間内にある。また、第２のタイプの検索空間および第１のタイプの検索空間が、異なるキャリア内にある。
【０１５７】
実施形態１３
図１５を参照すると、図１５は、本実施形態によって提供される、チャネル構成デバイスの構成物を図示する、概略図である。本デバイスは、第２の通信ノードによって構成される、アップリンク制御チャネルリソースのチャネル特性仮定を受信するように構成される、第２の特性受信モジュール１５１と、アップリンク制御チャネルリソースのチャネル特性仮定に従って、アップリンク制御チャネルリソースと関連付けられるアップリンク制御チャネルを第２の通信ノードに伝送するように構成される、第２のリソース送信モジュール１５２とを含む。
【０１５８】
いくつかの実施形態では、第１のタイプの検索空間は、共通検索空間および／またはビーム回収検索空間を含む。
【０１５９】
いくつかの実施形態では、第２のタイプの検索空間は、ユーザ特有の検索空間を含む。
【０１６０】
いくつかの実施形態では、第２のチャネル特性仮定は、擬似コロケーション、空間擬似コロケーション、および伝送構成インジケーション状態のうちの少なくとも１つを含む。
【０１６１】
いくつかの実施形態では、第１のタイプの検索空間および第２のタイプの検索空間が、第１のトリガ条件を満たす場合、以下のうちの少なくとも１つが、含まれる。第１のタイプの検索空間が、受信または監視される。第２のチャネル特性仮定が、第１のタイプの検索空間の第１のチャネル特性仮定によって決定される。第２のチャネル特性仮定が、第１のタイプの検索空間の第１のチャネル特性仮定と同一である。第２のチャネル特性仮定が、第１のタイプの検索空間における特定の検索空間インデックスを伴う検索空間の第１のチャネル特性仮定と同一である。第１のチャネル特性仮定および第２のチャネル特性仮定が、第１のタイプの検索空間における特定の検索空間インデックスを伴う検索空間の第１のチャネル特性仮定と同一である。第２のチャネル特性仮定および第１のチャネル特性仮定が、同一である場合、第２のタイプの検索空間が、受信または監視される。
【０１６２】
いくつかの実施形態では、第１のタイプの検索空間および第２のタイプの検索空間が、第１のトリガ条件を満たす場合、第１のトリガ条件は、以下の内容のうちの少なくとも１つを含む。第１のタイプの検索空間および第２のタイプの検索空間が、同一ＯＦＤＭシンボル内にある。第１のタイプの検索空間および第２のタイプの検索空間が、同一タイムスロット内にある。第１のタイプの検索空間および第２のタイプの検索空間が、同一リソースブロック内にある。第１のタイプの検索空間および第２のタイプの検索空間と関連付けられる監視窓が、相互に重複する。また、第１のタイプの検索空間および第２のタイプの検索空間が、同時に有効である。
【０１６３】
いくつかの実施形態では、第１のタイプの検索空間および第２のタイプの検索空間が、同一制御チャネルリソースセットからのものである。
【０１６４】
いくつかの実施形態では、以下が、さらに含まれる。プリセットインデックス下の最低インデックス、最高インデックス、または特定のインデックスのうちの１つの第１のタイプの検索空間が、受信または監視され、第２のチャネル特性仮定が、プリセットインデックス下の最低インデックス、最高インデックス、または特定のインデックスのうちの１つの第１のタイプのチャネル特性仮定によって決定され、第２のチャネル特性仮定が、プリセットインデックス下の最低インデックス、最高インデックス、または特定のインデックスのうちの１つの第１のチャネル特性仮定と同一であって、第２のチャネル特性仮定が、最低検索空間インデックスを有し、プリセットインデックス下の最低インデックス、最高インデックス、または特定のインデックスの第１のタイプの検索空間内にある、検索空間のチャネル特性仮定と同一である。
【０１６５】
いくつかの実施形態では、プリセットインデックスは、キャリアインデックス、ＢＷＰインデックス、制御チャネルリソースセットインデックス、および制御チャネルリソースインデックスのうちの少なくとも１つを含む。
【０１６６】
いくつかの実施形態では、第１のタイプの検索空間および第２のタイプの検索空間が、第２のトリガ条件を満たす場合、第２のタイプの検索空間を検出または受信するステップがさらに、含まれる。
【０１６７】
いくつかの実施形態では、第１のタイプの検索空間および第２のタイプの検索空間が、第２のトリガ条件を満たす場合、第２のトリガ条件は、以下のうちの少なくとも１つを含む。第２のタイプの検索空間および第１のタイプの検索空間が、異なるＯＦＤＭシンボル内にある。第２のタイプの検索空間および第１のタイプの検索空間が、異なるタイムスロット内にある。第２のタイプの検索空間および第１のタイプの検索空間が、異なるリソースブロック内にある。第２のタイプの検索空間および第１のタイプの検索空間が、異なる瞬間内にある。また、第２のタイプの検索空間および第１のタイプの検索空間が、異なるキャリア内にある。
【０１６８】
実施形態１４
図１６を参照すると、図１６は、本実施形態によって提供される、チャネル構成デバイスの構成物を図示する、概略図である。本デバイスは、制御チャネルリソースセットの第２のチャネル特性仮定を構成し、制御チャネルリソースセットの第２のチャネル特性仮定を送信するように構成される、第２の特性送信モジュール１６１と、アップリンク制御チャネルリソースのチャネル特性仮定に従って第１の通信ノードによって送信される、アップリンク制御チャネルリソースと関連付けられるアップリンク制御チャネルを受信するように構成される、第２のリソース受信モジュール１６２とを含む。
【０１６９】
いくつかの実施形態では、異なるＮ個のアップリンク制御チャネルリソースが、同時に送信される場合、Ｎ個のアップリンク制御チャネルリソースは、アップリンク制御チャネルリソースの以下のチャネル特性仮定のうちの少なくとも１つを通して送信される。最低、最高、または特定のアップリンク制御チャネルリソースインデックスのアップリンク制御チャネルリソースのチャネル特性仮定、最低または最高キャリアインデックスのキャリアまたは一次キャリア下のアップリンク制御チャネルリソースのチャネル特性仮定、最低または最高ＢＷＰインデックス下のＢＷＰまたはアクティブ化されたＢＷＰ下のアップリンク制御チャネルリソースのチャネル特性仮定、最低または最高キャリアインデックスのキャリアまたは一次キャリア下の最低または最高または特定のアップリンク制御チャネルリソースインデックスのアップリンク制御チャネルリソースのチャネル特性仮定、および最低または最高ＢＷＰインデックス下のＢＷＰまたはアクティブ化されたＢＷＰ下の最低または最高または特定のアップリンク制御チャネルリソースインデックスのアップリンク制御チャネルリソースのチャネル特性仮定。
【０１７０】
いくつかの実施形態では、Ｎ個の異なるアップリンク制御チャネルリソースを同時に送信するステップは、以下、すなわち、同一直交周波数分割多重化（ＯＦＤＭ）シンボル、同一タイムスロット、同一リソースブロック、Ｎ個の異なるアップリンク制御チャネルリソースと関連付けられる重複監視窓、または全てが同時に有効であることのうちの少なくとも１つにおいて、Ｎ個の異なるアップリンク制御チャネルリソースを同時に送信するステップを含む。
【０１７１】
いくつかの実施形態では、チャネル特性仮定は、空間関係情報または空間関係を含む。
【０１７２】
いくつかの実施形態では、アップリンク基準信号、アップリンクデータチャネルおよびアップリンク制御チャネルが、共通検索空間によってスケジューリングされる、アップリンク基準信号、アップリンクデータチャネルまたはアップリンク制御チャネルのうちの少なくとも１つの優先順位は、ユーザ特有の検索空間によってスケジューリングされる、アップリンク基準信号、アップリンクデータチャネル、およびアップリンク制御チャネルの優先順位より高い。
【０１７３】
いくつかの実施形態では、より低い優先順位を有する、アップリンク基準信号、アップリンクデータチャネル、およびアップリンク制御チャネルのチャネル特性仮説は、より高い優先順位を有する、アップリンク基準信号、アップリンクデータチャネル、またはアップリンク制御チャネルのうちの少なくとも１つに従って決定される。
【０１７４】
実施形態１５
図１７を参照すると、図１７は、本実施形態によって提供される、チャネル電力制御デバイスの構成物を図示する、概略図である。本デバイスは、第２の通信ノードによって送信される、第１のタイプのＭＡＣ−ＣＥシグナリングを受信するように構成される、シグナリング受信モジュール１７１と、第１のタイプのＭＡＣ−ＣＥシグナリングに従って、ＰＵＳＣＨの電力制御パラメータを決定するように構成される、電力決定モジュール１７２とを含む。
【０１７５】
いくつかの実施形態では、異なるＮ個のアップリンク制御チャネルリソースが、同時に送信される場合、Ｎ個のアップリンク制御チャネルリソースは、アップリンク制御チャネルリソースの以下のチャネル特性仮定のうちの少なくとも１つを通して伝送される。最低、最高、または特定のアップリンク制御チャネルリソースインデックスのアップリンク制御チャネルリソースのチャネル特性仮定、最低または最高キャリアインデックスのキャリアまたは一次キャリア下のアップリンク制御チャネルリソースのチャネル特性仮定、最低または最高ＢＷＰインデックス下のＢＷＰまたはアクティブ化されたＢＷＰ下のアップリンク制御チャネルリソースのチャネル特性仮定、最低または最高キャリアインデックスのキャリアまたは一次キャリア下の最低または最高または特定のアップリンク制御チャネルリソースインデックスのアップリンク制御チャネルリソースのチャネル特性仮定、および最低または最高ＢＷＰインデックス下のＢＷＰまたはアクティブ化されたＢＷＰ下の最低または最高または特定のアップリンク制御チャネルリソースインデックスのアップリンク制御チャネルリソースのチャネル特性仮定。
【０１７６】
いくつかの実施形態では、Ｎ個の異なるアップリンク制御チャネルリソースを同時に送信するステップは、以下、すなわち、同一直交周波数分割多重化（ＯＦＤＭ）シンボル、同一タイムスロット、同一リソースブロック、Ｎ個の異なるアップリンク制御チャネルリソースと関連付けられる重複監視窓、または全てが同時に有効であることのうちの少なくとも１つにおいて、Ｎ個の異なるアップリンク制御チャネルリソースを同時に送信するステップを含む。
【０１７７】
いくつかの実施形態では、チャネル特性仮定は、空間関係情報または空間関係を含む。
【０１７８】
いくつかの実施形態では、アップリンク基準信号、アップリンクデータチャネルおよびアップリンク制御チャネルが、共通検索空間によってスケジューリングされる、アップリンク基準信号、アップリンクデータチャネルまたはアップリンク制御チャネルのうちの少なくとも１つの優先順位は、ユーザ特有の検索空間によってスケジューリングされる、アップリンク基準信号、アップリンクデータチャネル、およびアップリンク制御チャネルの優先順位より高い。
【０１７９】
いくつかの実施形態では、より低い優先順位を有する、アップリンク基準信号、アップリンクデータチャネル、およびアップリンク制御チャネルのチャネル特性仮説は、より高い優先順位を有する、アップリンク基準信号、アップリンクデータチャネル、またはアップリンク制御チャネルのうちの少なくとも１つに従って決定される。
【０１８０】
実施形態１６
図１８を参照すると、図１８は、本実施形態によって提供される、チャネル電力制御デバイスの構成物を図示する、概略図である。本デバイスは、第１のタイプのＭＡＣ−ＣＥシグナリングを生成するように構成される、シグナリング生成モジュール１８１であって、第１のタイプのＭＡＣ−ＣＥシグナリングは、ＰＵＳＣＨの電力制御パラメータを決定するために使用される、シグナリング生成モジュール１８１と、第１のタイプのＭＡＣ−ＣＥシグナリングを第１の通信ノードに伝送するように構成される、シグナリング送信モジュール１８２とを含む。
【０１８１】
いくつかの実施形態では、第１のタイプのＭＡＣ−ＣＥシグナリングは、半持続的ＳＲＳをアクティブ化またはアクティブ化解除する、または関連付けられるＳＲＳの空間関係を構成するために使用され、ＳＲＳは、非コードブックモードまたはコードブックモードにおいて使用される。
【０１８２】
いくつかの実施形態では、ＰＵＳＣＨの電力制御パラメータを決定するステップは、以下、すなわち、第１のタイプのＭＡＣ−ＣＥシグナリングに従って、ＰＵＳＣＨの開ループ電力制御パラメータを決定するステップ、第１のタイプのＭＡＣ−ＣＥシグナリングに従って、ＰＵＳＣＨのＰＬ基準信号を決定するステップ、第１のタイプのＭＡＣ−ＣＥシグナリングに従って、ＰＵＳＣＨの閉ループ電力制御インデックスを決定するステップ、およびＰＵＳＣＨの閉ループ電力制御値をリセットするステップのうちの少なくとも１つを含む。
【０１８３】
いくつかの実施形態では、開ループ電力制御パラメータは、アルファおよび標的電力ｐ０を含む。
【０１８４】
いくつかの実施形態では、第１のタイプのＭＡＣ−ＣＥシグナリングは、以下、すなわち、ＤＣＩ内で、ＳＲＩコード値と関連付けられる開ループ電力制御パラメータセット内の要素インデックスを搬送する、またはＤＣＩ内で、ＳＲＩフィールドと関連付けられる開ループ電力制御パラメータ値を搬送する、第１のタイプのＭＡＣ−ＣＥシグナリング、ＤＣＩ内で、ＳＲＩコード値と関連付けられるＰＬ基準信号のセット内の要素インデックスを搬送する、またはＤＣＩ内で、ＳＲＩフィールドと関連付けられる基準信号インデックスを搬送する、第１のタイプのＭＡＣ−ＣＥシグナリング、およびＤＣＩ内で、ＳＲＩコード値と関連付けられる閉ループ電力制御インデックスを搬送する、第１のタイプのＭＡＣ−ＣＥシグナリングのうちの少なくとも１つを含む。
【０１８５】
いくつかの実施形態では、以下、すなわち、ＲＲＣによって構成されるＤＣＩ内のＳＲＩコード値と関連付けられる開ループ電力制御パラメータセット内の要素インデックスによって、ＰＵＳＣＨの開ループ電力制御パラメータを決定するステップと、ＤＣＩ内のＳＲＩと関連付けられる半持続的ＳＲＳの空間パラメータと関連付けられるダウンリンク基準信号によって、ＰＵＳＣＨの基準信号を決定するステップと、ＲＲＣによって構成されるＤＣＩ内のＳＲＩコード値と関連付けられる閉ループ電力制御インデックスによって、ＰＵＳＣＨの開ループ電力制御パラメータを決定するステップとが、さらに含まれる。
【０１８６】
実施形態１７
図１９を参照すると、図１９は、本実施形態によって提供される、ユーザ機器の構成物の概略図である。ユーザ機器は、第１のプロセッサ１９１と、第１のメモリ１９２と、第１の通信バス１９３とを含む。第１の通信バス１９３は、第１のプロセッサ１９１と第１のメモリ１９２との間の接続および通信を実装するように構成される。第１のプロセッサ１９１は、第１のメモリ１９２内に記憶されるコンピュータプログラムを実行し、本発明の個別の実施形態に説明されるチャネル構成方法またはチャネル電力制御方法を実装するように構成されるが、これは、ここでは詳細に説明されない。
【０１８７】
実施形態１８
図２０を参照すると、図２０は、本実施形態によって提供される、基地局の構成物の概略図である。基地局は、第２のプロセッサ２０１と、第２のメモリ２０２と、第２の通信バス２０３とを含む。第２の通信バス２０３は、第２のプロセッサ２０１と第２のメモリ２０２との間の接続および通信を実装するように構成される。第２のプロセッサ２０１は、第２のメモリ２０２内に記憶されるコンピュータプログラムを実行し、本発明の個別の実施形態に説明されるチャネル構成方法またはチャネル電力制御方法を実装するように構成されるが、これは、ここでは詳細に説明されない。
【０１８８】
実施形態１９
本実施形態は、コンピュータ可読記憶媒体を提供する。コンピュータ可読記憶媒体は、１つ以上のコンピュータプログラムを記憶するように構成され、１つ以上のコンピュータプログラムは、１つ以上のプロセッサによって実行可能であって、個別の実施形態に説明される上記に述べられたチャネル構成方法または個別の実施形態に説明されるチャネル電力制御方法を実装するが、これは、ここでは詳細に説明されない。
【０１８９】
明白なこととして、本願の個々のモジュールまたはステップが、少なくとも１つの汎用コンピューティング装置によって実装され得、モジュールまたはステップは、単一のコンピューティング装置上に集中される、または複数のコンピューティング装置によって形成されるネットワークの中に分散され得ることが、当業者によって理解されるはずである。随意に、モジュールまたはステップは、記憶媒体（読取専用メモリ（ＲＯＭ）／ランダムアクセスメモリ（ＲＡＭ）、磁気ディスク、または光ディスク）の中に記憶され得るモジュールまたはステップが、コンピューティング装置によって実行され得るように、コンピュータ装置によって実行可能なプログラムコードによって実施されてもよい。ある場合には、図示または説明されるステップは、本明細書に説明されるものと異なるシーケンスで実行されてもよい、またはモジュールまたはステップは、別個に、種々の集積回路モジュールに作製されることによって実装されてもよい、またはその中の複数のモジュールまたはステップは、単一の集積回路モジュールに作製されることによって実装されてもよい。したがって、本願は、ハードウェアおよびソフトウェアのいかなる特定の組み合わせにも限定されない。
【０１９０】
上記の内容は、特定の実施形態と併せた、本願のさらなる詳細な説明であるが、本願の特定の実装は、その説明に限定されない。本開示に関わる当業者にとって、いくつかの単純除外または代用も、本願の概念から逸脱することなく想定され得、本願の範囲内に該当することになる。
【図１】
2021522753.tif 000003
【図２】
2021522753.tif 000004
【図３】
2021522753.tif 000005
【図４】
2021522753.tif 000006
【図５】
2021522753.tif 000007
【図６】
2021522753.tif 000008
【図７】
2021522753.tif 000009
【図８】
2021522753.tif 000010
【図９】
2021522753.tif 000011
【図１０】
2021522753.tif 000012
【図１１】
2021522753.tif 000013
【図１２】
2021522753.tif 000014
【図１３】
2021522753.tif 000015
【図１４】
2021522753.tif 000016
【図１５】
2021522753.tif 000017
【図１６】
2021522753.tif 000018
【図１７】
2021522753.tif 000019
【図１８】
2021522753.tif 000020
【図１９】
2021522753.tif 000021
【図２０】
2021522753.tif 000022
【手続補正書】
【提出日】令和2年12月29日(2020.12.29)
【手続補正１】
【補正対象書類名】特許請求の範囲
【補正対象項目名】全文
【補正方法】変更
【補正の内容】
【特許請求の範囲】
【請求項１】
チャネル電力制御方法であって、
ユーザ機器によって、通信ノードから媒体アクセス制御−制御要素（ＭＡＣ−ＣＥ）シグナリングを受信することであって、前記ＭＡＣ−ＣＥシグナリングは、経路損失（ＰＬ）基準信号のセット内の物理アップリンク共有チャネル（ＰＵＳＣＨ）のＰＬ基準信号を示すインデックスを含む、ことと、
前記ユーザ機器によって、前記ＭＡＣ−ＣＥシグナリング内の前記インデックスに従って、前記ＰＵＳＣＨの前記ＰＬ基準信号を決定することと、
前記ユーザ機器によって、前記ＰＬ基準信号に基づいて、前記ＰＵＳＣＨ上の伝送のための伝送電力を決定することと
を含む、チャネル電力制御方法。
【請求項２】
前記ＰＬ基準信号を示す前記インデックスは、ダウンリンク制御情報（ＤＣＩ）シグナリング内のサウンディング基準信号リソースインジケータ（ＳＲＩ）コード値と関連付けられている、請求項１に記載のチャネル電力制御方法。
【請求項３】
前記ＰＬ基準信号のセットは、無線リソース制御（ＲＲＣ）シグナリングによって構成されている、請求項１に記載のチャネル電力制御方法。
【請求項４】
チャネル電力制御方法であって、
通信ノードによって、経路損失（ＰＬ）基準信号のセット内の物理アップリンク共有チャネル（ＰＵＳＣＨ）のＰＬ基準信号を示すインデックスを含む媒体アクセス制御−制御要素（ＭＡＣ−ＣＥ）シグナリングを決定することと、
前記通信ノードによって、前記ＭＡＣ−ＣＥシグナリングをユーザ機器に伝送することにより、前記ユーザ機器が、前記ＰＬ基準信号に基づいて、前記ＰＵＳＣＨ上の伝送のための伝送電力を決定することを可能にすることと
を含む、チャネル電力制御方法。
【請求項５】
前記ＰＬ基準信号を示す前記インデックスは、ダウンリンク制御情報（ＤＣＩ）シグナリング内のサウンディング基準信号リソースインジケータ（ＳＲＩ）コード値と関連付けられている、請求項４に記載のチャネル電力制御方法。
【請求項６】
前記ＰＬ基準信号のセットは、無線リソース制御（ＲＲＣ）シグナリングによって構成されている、請求項４に記載のチャネル電力制御方法。
【請求項７】
プロセッサを備える通信装置であって、前記プロセッサは、
通信ノードから媒体アクセス制御−制御要素（ＭＡＣ−ＣＥ）シグナリングを受信することであって、前記ＭＡＣ−ＣＥシグナリングは、ＰＬ基準信号のセット内の物理アップリンク共有チャネル（ＰＵＳＣＨ）の経路損失（ＰＬ）基準信号を示すインデックスを含む、ことと、
前記ＭＡＣ−ＣＥシグナリング内の前記インデックスに従って、前記ＰＵＳＣＨの前記ＰＬ基準信号を決定することと、
前記ＰＬ基準信号に基づいて、前記ＰＵＳＣＨ上の伝送のための伝送電力を決定することと
を行うように構成されている、装置。
【請求項８】
前記ＰＬ基準信号を示す前記インデックスは、ダウンリンク制御情報（ＤＣＩ）シグナリング内のサウンディング基準信号リソースインジケータ（ＳＲＩ）コード値に関連付けられている、請求項７に記載の装置。
【請求項９】
前記ＰＬ基準信号のセットは、無線リソース制御（ＲＲＣ）シグナリングによって構成されている、請求項７に記載の装置。
【請求項１０】
プロセッサを備える通信装置であって、前記プロセッサは、
経路損失（ＰＬ）基準信号のセット内の物理アップリンク共有チャネル（ＰＵＳＣＨ）のＰＬ基準信号を示すインデックスを含む媒体アクセス制御−制御要素（ＭＡＣ−ＣＥ）シグナリングを決定することと、
前記ＭＡＣ−ＣＥシグナリングをユーザ機器に伝送することにより、前記ユーザ機器が、前記ＰＬ基準信号に基づいて、前記ＰＵＳＣＨ上の伝送のための伝送電力を決定することを可能にすることと
を行うように構成されている、装置。
【請求項１１】
前記ＰＬ基準信号を示す前記インデックスは、ダウンリンク制御情報（ＤＣＩ）シグナリング内のサウンディング基準信号リソースインジケータ（ＳＲＩ）コード値に関連付けられている、請求項１０に記載の装置。
【請求項１２】
前記ＰＬ基準信号のセットは、無線リソース制御（ＲＲＣ）シグナリングによって構成されている、請求項１０に記載の装置。
【請求項１３】
非一過性コンピュータプログラム製品であって、前記非一過性コンピュータプログラム製品は、その上に記憶されたコードを有しており、前記コードは、プロセッサによって実行されると、前記プロセッサに、請求項１〜６のいずれかに記載の方法を実施させる、非一過性コンピュータプログラム製品。
【手続補正２】
【補正対象書類名】明細書
【補正対象項目名】００２０
【補正方法】変更
【補正の内容】
【００２０】
本発明の実施形態はさらに、コンピュータ可読記憶媒体を提供する。コンピュータ可読記憶媒体は、１つ以上のコンピュータプログラムを記憶するように構成され、１つ以上のコンピュータプログラムは、１つ以上のプロセッサによって実行可能であって、上記に述べられたチャネル構成方法またはチャネル電力制御方法のステップを実装する。
（項目１）
チャネル構成方法であって、
第２の通信ノードによって構成される制御チャネルリソースセットの第２のチャネル特性仮定を受信することであって、上記制御チャネルリソースセットは、第１のタイプの検索空間または第２のタイプの検索空間のうちの少なくとも１つによって形成され、上記第２のチャネル特性仮定は、上記第２のタイプの検索空間における制御チャネルリソースの構成のために使用される、ことと、
上記第２のチャネル特性仮定に従って上記第２の通信ノードによって送信される制御チャネルリソースを受信することと
を含む、方法。
（項目２）
上記第１のタイプの検索空間は、共通検索空間またはビーム回収検索空間のうちの少なくとも１つを含む、項目１に記載のチャネル構成方法。
（項目３）
上記第２のタイプの検索空間は、ユーザ特有の検索空間を含む、項目１に記載のチャネル構成方法。
（項目４）
上記第２のチャネル特性仮定は、擬似コロケーション、空間擬似コロケーション、または伝送構成インジケーション状態のうちの少なくとも１つを含む、項目１に記載のチャネル構成方法。
（項目５）
上記第１のタイプの検索空間および上記第２のタイプの検索空間が、第１のトリガ条件を満たす場合、上記チャネル構成方法はさらに、
上記第１のタイプの検索空間を受信または監視すること、
上記第１のタイプの検索空間の第１のチャネル特性仮定によって、上記第２のチャネル特性仮定を決定すること、
上記第２のチャネル特性仮定が、上記第１のタイプの検索空間の第１のチャネル特性仮定と同一であること、
上記第２のチャネル特性仮定が、上記第１のタイプの検索空間におけるプリセット検索空間インデックスを伴う検索空間の第１のチャネル特性仮定と同一であること、
第１のチャネル特性仮定および上記第２のチャネル特性仮定が、上記第１のタイプの検索空間におけるプリセット検索空間インデックスを伴う検索空間の第１のチャネル特性仮定と同一であること、または
上記第２のチャネル特性仮定が、第１のチャネル特性仮定と同一である場合、上記第２のタイプの検索空間を受信または監視すること
のうちの少なくとも１つを含む、項目１−４のいずれか１項に記載のチャネル構成方法。
（項目６）
上記プリセット検索空間インデックスは、
最低インデックスシーケンス番号、最高インデックスシーケンス番号、または規定された検索空間インデックスシーケンス番号
のうちの少なくとも１つを含む、項目５に記載のチャネル構成方法。
（項目７）
上記第１のタイプの検索空間および上記第２のタイプの検索空間が、上記第１のトリガ条件を満たす場合、上記第１のトリガ条件は、
上記第１のタイプの検索空間および上記第２のタイプの検索空間が、同一直交周波数分割多重化（ＯＦＤＭ）シンボル内にあること、上記第１のタイプの検索空間および上記第２のタイプの検索空間が、同一タイムスロット内にあること、上記第１のタイプの検索空間および上記第２のタイプの検索空間が、同一リソースブロック内にあること、上記第１のタイプの検索空間および上記第２のタイプの検索空間と関連付けられる監視窓が、相互に重複すること、または上記第１のタイプの検索空間および上記第２のタイプの検索空間が、同時に有効であること
のうちの少なくとも１つを含む、項目５に記載のチャネル構成方法。
（項目８）
上記第１のタイプの検索空間および上記第２のタイプの検索空間が、同一制御チャネルリソースセットからのものである、項目５に記載のチャネル構成方法。
（項目９）
上記第１のタイプの検索空間および上記第２のタイプの検索空間が、第１のトリガ条件を満たす場合、または上記第１のタイプの検索空間および上記第２のタイプの検索空間と関連付けられる窓が、重複または部分的に重複する場合、上記チャネル構成方法はさらに、
最低インデックスシーケンス番号、最高インデックスシーケンス番号、またはプリセットインデックス下の特定のインデックスシーケンス番号のうちの１つの第１のタイプの検索空間を受信または監視すること、
最低インデックスシーケンス番号、最高インデックスシーケンス番号、またはプリセットインデックス下の特定のインデックスシーケンス番号のうちの１つの第１のタイプのチャネル特性仮定によって、上記第２のチャネル特性仮定を決定すること、
上記第２のチャネル特性仮定が、最低インデックスシーケンス番号、最高インデックスシーケンス番号、またはプリセットインデックス下の特定のインデックスシーケンス番号のうちの１つの第１のチャネル特性仮定と同一であること、または
上記第２のチャネル特性仮定が、最低検索空間インデックスを有し、最低インデックスシーケンス番号、最高インデックスシーケンス番号、またはプリセットインデックス下の特定のインデックスシーケンス番号のうちの１つの第１のタイプの検索空間内にある、検索空間のチャネル特性仮定と同一であること
のうちの少なくとも１つを含む、項目１−４のいずれか１項に記載のチャネル構成方法。
（項目１０）
上記プリセットインデックスは、キャリアインデックス、帯域幅部分（ＢＷＰ）インデックス、制御チャネルリソースセットインデックス、または制御チャネルリソースインデックスのうちの少なくとも１つを含む、項目９に記載のチャネル構成方法。
（項目１１）
上記第１のタイプの検索空間および上記第２のタイプの検索空間が、第２のトリガ条件を満たす場合、上記チャネル構成方法はさらに、
上記第２のタイプの検索空間を検出または受信すること
を含む、項目１−４のいずれか１項に記載のチャネル構成方法。
（項目１２）
上記第１のタイプの検索空間および上記第２のタイプの検索空間が、第２のトリガ条件を満たす場合、上記第２のトリガ条件は、
上記第２のタイプの検索空間および上記第１のタイプの検索空間が、異なるＯＦＤＭシンボル内にあること、上記第２のタイプの検索空間および上記第１のタイプの検索空間が、異なるタイムスロット内にあること、上記第２のタイプの検索空間および上記第１のタイプの検索空間が、異なるリソースブロック内にあること、上記第２のタイプの検索空間および上記第１のタイプの検索空間が、異なる瞬間にあること、または上記第２のタイプの検索空間および上記第１のタイプの検索空間が、異なるキャリア内にあること
のうちの少なくとも１つを含む、項目９に記載のチャネル構成方法。
（項目１３）
上記第２のタイプの検索空間および上記第１のタイプの検索空間が、第１のトリガ条件を満たす場合、上記第２のタイプの検索空間は、検出または受信されない、または
上記第１のタイプの検索空間が、監視されない、または上記第１のタイプの検索空間が、上記第１のタイプの検索空間と関連付けられる監視窓内にない場合、上記第２のタイプの検索空間が、監視される、
項目１−４のいずれか１項に記載のチャネル構成方法。
（項目１４）
上記第２のタイプの検索空間および上記第１のタイプの検索空間が、上記第１のトリガ条件を満たす場合、上記第１のタイプの検索空間は、監視状態にある、または上記第１のタイプの検索空間と関連付けられる監視窓内に位置する、項目１３に記載のチャネル構成方法。
（項目１５）
上記第１のタイプの検索空間が、ビーム回収検索空間である場合、
上記監視窓は、第１の通信ノードが物理ランダムアクセスチャネル（ＰＲＡＣＨ）を送信した瞬間＋オフセット時間から開始し、上記第１の通信ノードがダウンリンク制御チャネルのためのチャネル特性仮定再構成を受信した瞬間までとなる、項目１３に記載のチャネル構成方法。
（項目１６）
チャネル構成方法であって、
制御チャネルリソースセットの第２のチャネル特性仮定を構成し、上記制御チャネルリソースセットの第２のチャネル特性仮定を第１の通信ノードに送信することであって、上記制御チャネルリソースセットは、第１のタイプの検索空間および第２のタイプの検索空間のうちの少なくとも１つによって形成され、上記第２のチャネル特性仮定は、上記第２のタイプの検索空間における制御チャネルリソースの構成のために使用される、ことと、
制御チャネルリソースを上記通信ノードに送信することと
を含む、方法。
（項目１７）
第１の通信ノードに適用されるチャネル構成方法であって、
第２の通信ノードによって構成されるアップリンク制御チャネルリソースのチャネル特性仮定を受信することと、
上記アップリンク制御チャネルリソースのチャネル特性仮定に従って、上記アップリンク制御チャネルリソースと関連付けられるアップリンク制御チャネルを上記第２の通信ノードに送信することと
を含む、方法。
（項目１８）
Ｎ個の異なるアップリンク制御チャネルリソースを同時に送信する場合、上記Ｎ個の異なるアップリンク制御チャネルリソースは、
最低、最高、または特定のアップリンク制御チャネルリソースインデックスのアップリンク制御チャネルリソースのチャネル特性仮定、
最低または最高キャリアインデックスのキャリアまたは一次キャリア下のアップリンク制御チャネルリソースのチャネル特性仮定、
最低または最高ＢＷＰインデックスの帯域幅部分（ＢＷＰ）またはアクティブ化されたＢＷＰ下のアップリンク制御チャネルリソースのチャネル特性仮定、
最低または最高キャリアインデックスのキャリアまたは一次キャリア下の最低、最高、または特定のアップリンク制御チャネルリソースインデックスのアップリンク制御チャネルリソースのチャネル特性仮定、
最低または最高ＢＷＰインデックスのＢＷＰまたはアクティブ化されたＢＷＰ下の最低、最高、または特定のアップリンク制御チャネルリソースインデックスのアップリンク制御チャネルリソースのチャネル特性仮定、
最低または最高キャリアインデックスのキャリアまたは一次キャリア下および最低または最高ＢＷＰインデックスのＢＷＰまたはアクティブ化されたＢＷＰ下のアップリンク制御リソースのチャネル特性仮定、または
最低または最高キャリアインデックスのキャリアまたは一次キャリア下および最低または最高ＢＷＰインデックスのＢＷＰまたはアクティブ化されたＢＷＰ下の最低、最高、または特定のアップリンク制御リソースインデックスのアップリンク制御リソースのチャネル特性仮定
のうちの少なくとも１つを通して送信される、項目１７に記載のチャネル構成方法。
（項目１９）
上記Ｎ個の異なるアップリンク制御チャネルリソースを同時に送信することは、
同一直交周波数分割多重化（ＯＦＤＭ）シンボル、同一タイムスロット、同一リソースブロック、上記Ｎ個の異なるアップリンク制御チャネルリソースと関連付けられる重複監視窓、または全て同時に有効であることのうちの少なくとも１つにおいて、上記Ｎ個の異なるアップリンク制御チャネルリソースを同時に送信すること
を含む、項目１８に記載のチャネル構成方法。
（項目２０）
上記チャネル特性仮定は、空間関係情報または空間関係を含む、項目１７−１９のいずれか１項に記載のチャネル構成方法。
（項目２１）
上記アップリンク基準信号、上記アップリンクデータチャネルおよび上記アップリンク制御チャネルが、共通検索空間によってスケジューリングされる、アップリンク基準信号、アップリンクデータチャネルまたはアップリンク制御チャネルのうちの少なくとも１つの優先順位は、ユーザ特有の検索空間によってスケジューリングされる、アップリンク基準信号、アップリンクデータチャネル、およびアップリンク制御チャネルの優先順位より高い、項目１７−１９のいずれか１項に記載のチャネル構成方法。
（項目２２）
より低い優先順位を有する、上記アップリンク基準信号、アップリンクデータチャネル、およびアップリンク制御チャネルのチャネル特性仮説は、より高い優先順位を有する、上記アップリンク基準信号、上記アップリンクデータチャネル、または上記アップリンク制御チャネルのうちの上記少なくとも１つに従って決定される、またはより低い優先順位を有する、上記基準信号またはチャネルは、送信されない、項目２１に記載のチャネル構成方法。
（項目２３）
上記一次キャリアは、一次セル、または、一次物理アップリンク制御チャネル（ＰＵＣＣＨ）グループ下の一次セルを示す、項目１８に記載のチャネル構成方法。
（項目２４）
チャネル構成方法であって、
アップリンク制御チャネルリソースのチャネル特性仮定を構成し、上記アップリンク制御チャネルリソースのチャネル特性仮定を第１の通信ノードに送信することと、
上記アップリンク制御チャネルリソースと関連付けられ、上記アップリンク制御チャネルリソースのチャネル特性仮定に従って上記第１の通信ノードによって送信される、アップリンク制御チャネルを受信することと
を含む、方法。
（項目２５）
チャネル電力制御方法であって、
第２の通信ノードによって送信される第１のタイプの媒体アクセス制御−制御要素（ＭＡＣ−ＣＥ）シグナリングを受信することと、
上記第１のタイプのＭＡＣ−ＣＥシグナリングに従って、物理アップリンク共有チャネル（ＰＵＳＣＨ）の電力制御パラメータを決定することと
を含む、チャネル電力制御方法。
（項目２６）
上記第１のタイプのＭＡＣ−ＣＥシグナリングは、半持続的チャネルサウンディング基準信号（ＳＲＳ）をアクティブ化またはアクティブ化解除するために、または上記第１のタイプのＭＡＣ−ＣＥシグナリングと関連付けられるＳＲＳの空間関係を構成するために使用され、上記ＳＲＳは、非コードブックモードまたはコードブックモードにおいて使用される、項目２５に記載のチャネル電力制御方法。
（項目２７）
上記ＰＵＳＣＨの電力制御パラメータを決定することは、
上記第１のタイプのＭＡＣ−ＣＥシグナリングに従って、上記ＰＵＳＣＨの開ループ電力制御パラメータを決定すること、
上記第１のタイプのＭＡＣ−ＣＥシグナリングに従って、上記ＰＵＳＣＨの経路損失（ＰＬ）基準信号を決定することと、
上記第１のタイプのＭＡＣ−ＣＥシグナリングに従って、上記ＰＵＳＣＨの閉ループ電力制御インデックスを決定すること、または
上記ＰＵＳＣＨの閉ループ電力制御値をリセットすること
のうちの少なくとも１つを含む、項目２５または２６に記載のチャネル電力制御方法。
（項目２８）
上記開ループ電力制御パラメータは、アルファおよび標的電力ｐ０を含む、項目２７に記載のチャネル電力制御方法。
（項目２９）
上記第１のタイプのＭＡＣ−ＣＥシグナリングは、
ダウンリンク制御情報（ＤＣＩ）内で、開ループ電力制御パラメータセット内の要素インデックスがチャネルサウンディング基準信号リソースインジケータ（ＳＲＩ）コード値と関連付けられることを示す上記第１のタイプのＭＡＣ−ＣＥシグナリング、またはＤＣＩ内でＳＲＩフィールドと関連付けられる開ループ電力制御パラメータ値を搬送する上記第１のタイプのＭＡＣ−ＣＥシグナリング、
ＰＬ基準信号のセット内の要素インデックスがＤＣＩ内で搬送されるＳＲＩコード値と関連付けられることを示す上記第１のタイプのＭＡＣ−ＣＥシグナリング、またはＤＣＩ内でＳＲＩフィールドと関連付けられるＰＬ基準信号インデックスを搬送する上記第１のタイプのＭＡＣ−ＣＥシグナリング、または
ＤＣＩ内で、ＳＲＩコード値と関連付けられる上記閉ループ電力制御インデックスを搬送する上記第１のタイプのＭＡＣ−ＣＥシグナリング
のうちの少なくとも１つを含む、項目２７に記載のチャネル電力制御方法。
（項目３０）
上記開ループ電力制御パラメータセット内の無線リソース制御（ＲＲＣ）によって構成される上記ＤＣＩ内のＳＲＩコード値と関連付けられる上記要素インデックスによって、上記ＰＵＳＣＨの開ループ電力制御パラメータを決定することと、
上記ＤＣＩ内のＳＲＩと関連付けられる半持続的ＳＲＳの空間パラメータと関連付けられるダウンリンク基準信号によって、上記ＰＵＳＣＨのＰＬ基準信号を決定することと、
ＲＲＣによって構成される上記ＤＣＩ内のＳＲＩコード値と関連付けられる上記閉ループ電力制御インデックスによって、上記ＰＵＳＣＨの開ループ電力制御パラメータを決定することと
をさらに含む、項目２９に記載のチャネル電力制御方法。
（項目３１）
ＲＲＣシグナリングによって、上記開ループ電力制御パラメータセットを構成すること、または
ＲＲＣシグナリングによって、上記ＰＬ基準信号のセットを構成すること
のうちの１つをさらに含む、項目２９に記載のチャネル電力制御方法。
（項目３２）
チャネル電力制御方法であって、
第１のタイプの媒体アクセス制御−制御要素（ＭＡＣ−ＣＥ）シグナリングを生成することであって、上記第１のタイプのＭＡＣ−ＣＥシグナリングは、物理アップリンク共有チャネル（ＰＵＳＣＨ）の電力制御パラメータを決定するために使用される、ことと、
上記第１のタイプのＭＡＣ−ＣＥシグナリングを通信ノードに送信することと
を含む、チャネル電力制御方法。
（項目３３）
チャネル構成デバイスであって、
第１の特性受信モジュールであって、上記第１の特性受信モジュールは、第２の通信ノードによって構成される制御チャネルリソースセットの第２のチャネル特性仮定を受信するように構成され、上記制御チャネルリソースセットは、第１のタイプの検索空間または第２のタイプの検索空間のうちの少なくとも１つによって形成され、上記第２のチャネル特性仮定は、上記第２のタイプの検索空間における制御チャネルリソースの構成のために使用される、第１の特性受信モジュールと、
第１のリソース受信モジュールであって、上記第１のリソース受信モジュールは、上記第２のチャネル特性仮定に従って上記第２の通信ノードによって送信される制御チャネルリソースを受信するように構成される、第１のリソース受信モジュールと
を備える、チャネル構成デバイス。
（項目３４）
チャネル構成デバイスであって、
第１の特性送信モジュールであって、上記第１の特性送信モジュールは、制御チャネルリソースセットの第２のチャネル特性仮定を構成し、上記制御チャネルリソースセットの第２のチャネル特性仮定を第１の通信ノードに送信するように構成され、上記制御チャネルリソースセットは、第１のタイプの検索空間または第２のタイプの検索空間のうちの少なくとも１つによって形成され、上記第２のチャネル特性仮定は、上記第２のタイプの検索空間における制御チャネルリソースの構成のために使用される、第１の特性送信モジュールと、
第１のリソース送信モジュールであって、上記第１のリソース送信モジュールは、制御チャネルリソースを上記第１の通信ノードに伝送するように構成される、第１のリソース送信モジュールと
を備える、チャネル構成デバイス。
（項目３５）
チャネル構成デバイスであって、
第２の特性受信モジュールであって、上記第２の特性受信モジュールは、第２の通信ノードによって構成されるアップリンク制御チャネルリソースのチャネル特性仮定を受信するように構成される、第２の特性受信モジュールと、
第２のリソース送信モジュールであって、上記第２のリソース送信モジュールは、上記アップリンク制御チャネルリソースのチャネル特性仮定に従って、上記アップリンク制御チャネルリソースと関連付けられるアップリンク制御チャネルを上記第２の通信ノードに送信するように構成される、第２のリソース送信モジュールと
を備える、チャネル構成デバイス。
（項目３６）
チャネル構成デバイスであって、
第２の特性送信モジュールであって、上記第２の特性送信モジュールは、アップリンク制御チャネルリソースのチャネル特性仮定を構成し、上記アップリンク制御チャネルリソースのチャネル特性仮定を第１の通信ノードに送信するように構成される、第２の特性送信モジュールと、
第２のリソース受信モジュールであって、上記第２のリソース受信モジュールは、上記アップリンク制御チャネルリソースと関連付けられ、上記アップリンク制御チャネルリソースのチャネル特性仮定に従って上記第１の通信ノードによって送信される、アップリンク制御チャネルを受信するように構成される、第２のリソース受信モジュールと
を備える、チャネル構成デバイス。
（項目３７）
チャネル電力制御デバイスであって、
シグナリング受信モジュールであって、上記シグナリング受信モジュールは、第２の通信ノードによって送信される第１のタイプの媒体アクセス制御−制御要素（ＭＡＣ−ＣＥ）シグナリングを受信するように構成される、シグナリング受信モジュールと、
電力決定モジュールであって、上記電力決定モジュールは、上記第１のタイプのＭＡＣ−ＣＥシグナリングに従って、物理アップリンク共有チャネル（ＰＵＳＣＨ）の電力制御パラメータを決定するように構成される、電力決定モジュールと
を備える、チャネル電力制御デバイス。
（項目３８）
チャネル電力制御デバイスであって、
シグナリング生成モジュールであって、上記シグナリング生成モジュールは、第１のタイプの媒体アクセス制御−制御要素（ＭＡＣ−ＣＥ）シグナリングを生成するように構成され、上記第１のタイプのＭＡＣ−ＣＥシグナリングは、上記ＰＵＳＣＨの電力制御パラメータを決定するために使用される、シグナリング生成モジュールと、
シグナリング送信モジュールであって、上記シグナリング送信モジュールは、上記第１のタイプのＭＡＣ−ＣＥシグナリングを第１の通信ノードに送信するように構成される、シグナリング送信モジュールと
を備える、チャネル電力制御デバイス。
（項目３９）
ユーザ機器であって、上記ユーザ機器は、第１のプロセッサと、第１のメモリと、第１の通信バスとを備え、
上記第１の通信バスは、上記第１のプロセッサと上記第１のメモリとの間の接続および通信を実装するように構成され、
上記第１のプロセッサは、上記第１のメモリ内に記憶されるコンピュータプログラムを実行し、項目１−１５のいずれか１項に記載のチャネル構成方法、項目１７−２３のいずれか１項に記載のチャネル構成方法、または項目２５−３１のいずれか１項に記載のチャネル電力制御方法を実装するように構成される、ユーザ機器。
（項目４０）
基地局であって、上記基地局は、第２のプロセッサと、第２のメモリと、第２の通信バスとを備え、
上記第２の通信バスは、上記第２のプロセッサと上記第２のメモリとの間の接続および通信を実装するように構成され、
上記第２のプロセッサは、上記第２のメモリ内に記憶されるコンピュータプログラムを実行し、項目１６に記載のチャネル構成方法、項目２４に記載のチャネル構成方法、または項目３２に記載のチャネル電力制御方法を実装するように構成される、基地局。
（項目４１）
少なくとも１つのコンピュータプログラムを記憶するコンピュータ可読記憶媒体であって、上記少なくとも１つのコンピュータプログラムは、少なくとも１つのプロセッサによって実行可能であり、項目１−１５のいずれか１項に記載のチャネル構成方法、項目１７−２３のいずれか１項に記載のチャネル構成方法、または項目２５−３１のいずれか１項に記載のチャネル電力制御方法を実装する、コンピュータ可読記憶媒体。
（項目４２）
少なくとも１つのコンピュータプログラムを記憶するコンピュータ可読記憶媒体であって、上記少なくとも１つのコンピュータプログラムは、少なくとも１つのプロセッサによって実行可能であり、項目１６に記載のチャネル構成方法、項目２４に記載のチャネル構成方法、または項目３２に記載のチャネル電力制御方法を実装する、コンピュータ可読記憶媒体。
【国際調査報告】
2021522753.tif 000023
2021522753.tif 000024
2021522753.tif 000025
2021522753.tif 000026
2021522753.tif 000027
2021522753.tif 000028